(57)【要約】  腹膜透析治療をモニタリング及び／又は修正するための装置であって、少なくとも１つの治療プロトコルを記憶するメモリと、メモリに接続された制御回路とを含み、前記制御回路が、治療の結果が治療プロトコルの所望の結果ではない場合にレポートを生成する及び／又は治療を修正する、装置。【選択図】図１３Ｎ
2020518302.tif 000002
【特許請求の範囲】
【請求項１】
腹膜透析治療をモニタリング及び／又は修正するための装置であって、
少なくとも１つの治療プロトコルを記憶するメモリと、
前記メモリに接続された制御回路と、
を備え、前記制御回路が、前記治療の結果が前記治療プロトコルの所望の結果ではない場合にレポートを生成する及び／又は前記治療を修正する、
装置。
【請求項２】
インターフェースをさらに備え、前記インターフェースが、前記レポートに基づいて患者及び／又は介護者に警告を送達する、請求項１に記載の装置。
【請求項３】
カテーテルへ流体を流すように形状設定及び寸法設定されたチュービングをさらに備え、前記制御回路が、前記流体の前記流れに基づいて及び／又は前記チュービング内の前記流体内容物に基づいて前記治療を修正する、請求項２に記載の装置。
【請求項４】
前記チュービングに関連してポンプロータを備え、前記ポンプロータが、前記流体を動かすように構成され、前記制御回路が、前記ポンプロータの回転を修正することにより前記治療を修正する、請求項３に記載の装置。
【請求項５】
前記チュービングに流体接続される少なくとも１つの試験経路を備え、前記試験経路が、前記チュービングから前記試験経路へ少なくとも一部の流体を流すように形状設定及び寸法設定される、請求項３及び請求項４のいずれか一項に記載の装置。
【請求項６】
前記チュービング内の流体を通過する光の特性を測定するために前記制御回路に接続される少なくとも１つの光センサを備える、請求項３〜請求項５のいずれか一項に記載の装置。
【請求項７】
前記試験経路内の流体の色を視覚的に分析するために前記試験経路の近位に少なくとも１つのカラースケールを備え、前記カラースケールが、透析液の色又はその指示を含む、請求項５に記載の装置。
【請求項８】
少なくとも１つの患者臨床パラメータを感知するために前記制御回路に接続される少なくとも１つの臨床センサを備え、前記治療の前記結果が、前記患者臨床パラメータにより示される臨床結果である、請求項２に記載の装置。
【請求項９】
前記患者臨床パラメータが、心拍数、血圧、及び／又は体重からなるリストから選択される、請求項８に記載の装置。
【請求項１０】
前記患者臨床パラメータが所望の値の範囲内にない場合に、前記制御回路が、患者への及び／又は介護者への警告を生成するべく前記インターフェースに信号を発する、請求項８又は請求項９のいずれか一項に記載の装置。
【請求項１１】
前記患者臨床パラメータが所望の値の範囲内にない場合に、医師に指示を送信するための通信回路をさらに備える、請求項８〜請求項１０のいずれか一項に記載の装置。
【請求項１２】
前記メモリが前記患者臨床パラメータの値を記憶する、請求項８〜請求項１１のいずれか一項に記載の装置。
【請求項１３】
前記患者臨床パラメータが所望の値の範囲内にない場合に、前記制御回路が、前記治療を修正し、又は少なくとも１つの治療パラメータを修正し、又は前記メモリに記憶された異なる治療プロトコルを選択し、前記少なくとも１つの修正される治療パラメータが、注入される透析液の滞留時間、治療持続時間、及び／又は組成を含む、請求項８〜請求項１２のいずれか一項に記載の装置。
【請求項１４】
前記チュービング内の透析液流体の化学組成を測定するために前記制御回路に接続される少なくとも１つの臨床センサを備える、請求項３に記載の装置。
【請求項１５】
前記臨床センサが、前記透析液流体のイオン強度及び／又は前記透析液流体中のデキストロースレベル及び／又は尿素レベル及び／又はクレアチニンレベルを測定する、請求項１４に記載の装置。
【請求項１６】
前記化学組成が所望の値の範囲内にない場合に、前記制御回路が、警告指示を生成するべく前記インターフェースに信号を発する、請求項１４又は請求項１５のいずれか一項に記載の装置。
【請求項１７】
前記化学組成が所望の値の範囲内にない場合に、前記制御回路が、前記治療を修正し、又は少なくとも１つの治療パラメータを修正し、又は異なる治療プロトコルを選択し、前記治療の前記少なくとも１つの修正されるパラメータが、注入される透析液の滞留時間、治療持続時間、及び／又は組成を含む、請求項１４〜請求項１６のいずれか一項に記載の装置。
【請求項１８】
排出プロセス中に排出された透析液の生物学的特性及び／又は化学的特性及び／又は物理的特性を測定するための少なくとも１つのセンサをさらに備え、前記制御回路が、前記排出された透析液の前記測定された特性に基づいて腹膜炎を検出する、請求項１に記載の装置。
【請求項１９】
患者及び／又は介護者に指示を送達するためのインターフェースをさらに備え、前記腹膜炎が検出される場合に、前記制御回路が、警告指示を生成するべく前記インターフェースに信号を発する、請求項１８に記載の装置。
【請求項２０】
通信回路をさらに備え、前記通信回路が、前記警告指示を医師に送信する、請求項１９に記載の装置。
【請求項２１】
前記腹膜炎が検出される場合に、前記制御回路が、前記治療プロトコルの少なくとも１つのパラメータを修正する又は前記メモリに記憶された代替的な治療プロトコルを選択する、請求項１８〜請求項２０のいずれか一項に記載の装置。
【請求項２２】
前記物理的特性が、前記排出された透析液の濁度レベルを含む、請求項１８〜請求項２１のいずれか一項に記載の装置。
【請求項２３】
前記少なくとも１つのセンサが、１つ又は複数の波長の前記排出された透析液の少なくとも１つの光学パラメータを測定するように構成された光学センサである、請求項１８〜請求項２２のいずれか一項に記載の装置。
【請求項２４】
前記少なくとも１つのセンサが、５００〜６５０ｎｍの範囲内及び／又は１５０〜３５０ｎｍの範囲内の１つ又は複数の波長の前記排出された透析液を通過する光の吸収及び／又は散乱を測定するように構成される、請求項２３に記載の装置。
【請求項２５】
前記少なくとも１つのセンサが、５００〜６５０ｎｍの波長範囲内の１つ又は複数の波長の前記排出された透析液を通過する光の吸収及び／又は散乱を測定するように構成された第１のセンサと、１５０〜３５０ｎｍの波長範囲内の１つ又は複数の波長の前記排出された透析液を通過する光の吸収及び／又は散乱を測定するように構成された第２のセンサを含む、請求項１８に記載の装置。
【請求項２６】
前記少なくとも１つのセンサが、５００〜６５０ｎｍの波長範囲内の前記排出された透析液を通過する光の吸収及び／又は散乱を測定するように構成された第１のセンサと、可視光波長の前記排出された透析液を通過する光の吸収及び／又は散乱を測定するように構成された第２のセンサを含む、請求項１８に記載の装置。
【請求項２７】
前記制御回路が、前記光吸収及び／又は光散乱測定に基づいて腹膜炎を検出する、請求項２４〜請求項２６のいずれか一項に記載の装置。
【請求項２８】
前記制御回路に電気的に接続されるバッテリを備える、前記請求項のいずれか一項に記載の装置。
【請求項２９】
腹膜透析システムであって、
電気モータと、前記電気モータに電気的に接続され、前記電気モータに電力を提供するように構成されたバッテリとを備える、耐久ユニットと、
前記モータに接続可能なロータと、前記ロータと少なくとも部分的に接触しているチュービングとを備える、前記耐久ユニットに取り付けられるように構成された、取り外し可能なユニットと、
を備え、前記システム重量が４０００ｇｒを下回る、システム。
【請求項３０】
前記システムが透析液ヒータを備えない、請求項２９に記載のシステム。
【請求項３１】
排出された透析液で生理的状態を検出するための方法であって、
腹膜透析装置の少なくとも１つのセンサ又は手動インジケータにより、前記排出された透析液の前記内容物に関係した少なくとも１つのパラメータを測定することと、
前記少なくとも１つのパラメータに基づいて生理的状態を検出することと、
を含む、方法。
【請求項３２】
前記生理的状態が、腹膜炎、前腹膜炎、又は後腹膜炎を含む、請求項３１に記載の方法。
【請求項３３】
前記検出することに基づいて前記生理的状態に関する治療を示すことを含む、請求項３１に記載の方法。
【請求項３４】
前記示すことが、透析液バッグに抗生物質を添加することを前記装置のユーザに示すことを含む、請求項３３に記載の方法。
【請求項３５】
前記示すことが、透析液バッグを抗生物質が入っているバッグに切り換えることを示すことを含む、請求項３３又は請求項３４のいずれか一項に記載の方法。
【請求項３６】
前記少なくとも１つのパラメータが炎症に関連するパラメータであり、前記生理的状態が炎症を含む、請求項３２〜請求項３５のいずれか一項に記載の方法。
【請求項３７】
前記炎症に関連するパラメータが、前記排出された透析液の濁度レベルを含む、請求項３６に記載の方法。
【請求項３８】
前記炎症に関連するパラメータが、前記排出された透析液中の白血球及び／又は細菌のレベルを含む、請求項３６に記載の方法。
【請求項３９】
前記示すことが、腹膜腔に抗生物質溶液を注入することを示すことを含む、請求項３２〜請求項３８のいずれか一項に記載の方法。
【請求項４０】
前記測定の前記少なくとも１つのパラメータの値に基づいて腹膜透析治療効果を判定することを含む、請求項３１〜請求項３９のいずれか一項に記載の方法。
【請求項４１】
前記少なくとも１つのパラメータが、前記排出された透析液のデキストロースレベルを含む、請求項４０に記載の方法。
【請求項４２】
前記少なくとも１つのパラメータが、前記排出された透析液のクレアチニンレベルを含む、請求項４０又は請求項４１のいずれか一項に記載の方法。
【請求項４３】
前記少なくとも１つのパラメータが、前記排出された透析液の尿素レベルを含む、請求項４０〜請求項４２のいずれか一項に記載の方法。
【請求項４４】
前記示すことが、前記効果が所望の効果よりも低い場合に腹膜腔内の透析液の滞留時間を増加させることを示すことを含む、請求項４０〜請求項４３のいずれか一項に記載の方法。
【請求項４５】
前記示すことが、前記効果が所望の効果ではない場合に又は腹膜炎が検出される場合に患者及び／又は介護者に示すことを含む、請求項４０〜請求項４４のいずれか一項に記載の方法。
【請求項４６】
前記効果が所望の効果ではない場合に又は腹膜炎が検出される場合に医師に指示を送信することを含む、請求項４０〜請求項４５のいずれか一項に記載の方法。
【請求項４７】
腹膜透析装置の取り外し可能なユニットであって、
前記取り外し可能なユニットを入れる取り外し可能なハウジングと、
前記ハウジング内のポンプロータと部分的に関連付けられるように形状設定及び寸法設定された２つの開口部を有するチュービングと、
少なくとも２つのコネクタと、
を備え、前記２つのコネクタのそれぞれが、前記チュービングに前記２つの開口部のうちの１つで接続され、前記２つのコネクタが、前記ハウジングの同じ側部に固定される、
ユニット。
【請求項４８】
前記２つのコネクタのうちの少なくとも１つが消毒コネクタであり、前記チュービングが、前記消毒コネクタの近位に消毒流体を備える、請求項４７に記載のユニット。
【請求項４９】
前記消毒コネクタが、外部コネクタにより破られるように形状設定及び寸法設定された少なくとも１つのホイルを備える、請求項４８に記載のユニット。
【請求項５０】
前記コネクタの付近で前記チュービングを取り囲む少なくとも２つの流量調整器を備え、前記流量調整器が、前記チュービングと前記コネクタとの間で流体を流すように形状設定及び寸法設定される、請求項４７〜請求項４９のいずれか一項に記載のユニット。
【発明の詳細な説明】
【技術分野】
【０００１】
関連出願
本出願は、その内容の全体が参照により本明細書に組み込まれる、２０１７年２月１日に出願されたＰＣＴ特許出願第ＰＣＴ／ＩＬ２０１７／０５０１１７号の優先権の利益を主張するものである。
【０００２】
加えて、本出願は、その内容の全体が参照により本明細書に組み込まれる、２０１７年４月２４日に出願された米国仮特許出願第６２／４８８，９４４号の３５ＵＳＣ§１１９（ｅ）の下での優先権の利益を主張するものである。
【０００３】
本発明は、そのいくつかの実施形態において、透析治療のための装置に関し、より具体的には、しかし排他的にではなく、腹膜透析治療をモニタリングするための装置に関する。
【発明の概要】
【発明が解決しようとする課題】
【０００４】
腹膜透析は、血液から老廃物及び余分な水分を除去するための救命手技である。これは主として、腎不全の患者の健康を維持するために用いられる。腹膜透析は、簡単なプロセスのように思われるが、その身体に対する影響の多くは十分に理解されていない。この知識の欠如は、患者が受ける療法が最適な様態で送達されているかどうかについての問題に移り変わる。
【０００５】
腹膜透析は、腹膜を天然の半透膜として用いて体内の血液から老廃物及び余分な水分を除去する。老廃物及び余分な水分は、血液から腹膜を通って腹腔、より詳細には腹膜腔内の透析液と呼ばれる特別な透析溶液へ移動する。除去される老廃物は、尿毒性老廃物、余分な水分、及び余分なミネラルを含む。尿素クリアランスが、透析の妥当性の主要な指標となっている。使用済みの透析液中の尿素レベルが、透析セッションの性能の良好な推定量を与える。
【課題を解決するための手段】
【０００６】
本発明のいくつかの実施形態のいくつかの例を以下に列挙する。
【０００７】
例１．腹膜透析治療をモニタリング及び／又は修正するための装置であって、
少なくとも１つの治療プロトコルを記憶するメモリと、
前記メモリに接続された制御回路と、
を備え、前記制御回路が、前記治療の結果が前記治療プロトコルの所望の結果ではない場合にレポートを生成する及び／又は前記治療を修正する、装置。
【０００８】
例２．インターフェースをさらに備え、前記インターフェースが、前記レポートに基づいて患者及び／又は介護者に警告を送達する、例１に記載の装置。
【０００９】
例３．カテーテルへ流体を流すように形状設定及び寸法設定されたチュービングをさらに備え、前記制御回路が、前記流体の前記流れに基づいて及び／又は前記チュービング内の前記流体内容物に基づいて前記治療を修正する、例２に記載の装置。
【００１０】
例４．前記チュービングに関連してポンプロータを備え、前記ポンプロータが、前記流体を動かすように構成され、前記制御回路が、前記ポンプロータの回転を修正することにより前記治療を修正する、例３に記載の装置。
【００１１】
例５．前記チュービングに流体接続される少なくとも１つの試験経路を備え、前記試験経路が、前記チュービングから前記試験経路へ少なくとも一部の流体を流すように形状設定及び寸法設定される、例３及び例４に記載の装置。
【００１２】
例６．前記試験経路内の流体を通過する光の特性を測定するために前記制御回路に接続される少なくとも１つの光センサを備える、例５に記載の装置。
【００１３】
例７．前記試験経路内の流体の色を視覚的に分析するために前記試験経路の近位に少なくとも１つのカラースケールを備える、例５に記載の装置。
【００１４】
例８．少なくとも１つの患者臨床パラメータを感知するために前記制御回路に接続される少なくとも１つの臨床センサを備え、前記治療の前記結果が、前記患者臨床パラメータにより示される臨床結果である、例２に記載の装置。
【００１５】
例９．前記患者臨床パラメータが、心拍数、血圧、及び／又は体重からなるリストから選択される、例８に記載の装置。
【００１６】
例１０．前記患者臨床パラメータが所望の値の範囲内にない場合に、前記制御回路が、患者への及び／又は介護者への警告を生成するべく前記インターフェースに信号を発する、例８又は例９に記載の装置。
【００１７】
例１１．前記患者臨床パラメータが所望の値の範囲内にない場合に医師に指示を送信するための通信回路をさらに備える、例８〜例１０のいずれか１つに記載の装置。
【００１８】
例１２．前記メモリが前記患者臨床パラメータの値を記憶する、例８〜例１１のいずれか１つに記載の装置。
【００１９】
例１３．前記患者臨床パラメータが所望の値の範囲内にない場合に、前記制御回路が、前記治療を修正する、又は少なくとも１つの治療パラメータを修正する、又は前記メモリに記憶された異なる治療プロトコルを選択する、例８〜例１２のいずれか１つに記載の装置。
【００２０】
例１４．前記少なくとも１つの修正される治療パラメータが、注入される透析液の滞留時間、治療持続時間、及び／又は組成を含む、例１３に記載の装置。
【００２１】
例１５．前記制御回路が、どの透析液バッグを選択するか又はどの透析液バッグをユーザに提供するかを示すべく前記インターフェースに信号を発する、例８〜例１４に記載の装置。
【００２２】
例１６．前記チュービング内の透析液流体の化学組成を測定するために前記制御回路に接続される少なくとも１つの臨床センサを備える、例３に記載の装置。
【００２３】
例１７．前記臨床センサが、前記透析液流体のイオン強度及び／又は前記透析液流体中のデキストロースレベル及び／又は尿素レベル及び／又はクレアチニンレベルを測定する、例１６に記載の装置。
【００２４】
例１８．前記化学組成が所望の値の範囲内にない場合に、前記制御回路が、警告指示を生成するべく前記インターフェースに信号を発する、例１６又は例１７のいずれか１つに記載の装置。
【００２５】
例１９．前記化学組成が所望の値の範囲内にない場合に医師に指示を送信するための通信回路をさらに備える、例１６〜例１８のいずれか１つに記載の装置。
【００２６】
例２０．前記化学組成が所望の値の範囲内にない場合に、前記制御回路が、前記治療を修正する、又は少なくとも１つの治療パラメータを修正する、又は異なる治療プロトコルを選択する、例１６〜例１９のいずれか１つに記載の装置。
【００２７】
例２１．前記治療の前記少なくとも１つの修正されるパラメータが、注入される透析液の滞留時間、治療持続時間、及び／又は組成を含む、例２０に記載の装置。
【００２８】
例２２．排出プロセス中に排出された透析液の生物学的特性及び／又は化学的特性及び／又は物理的特性を測定するための少なくとも１つのセンサをさらに備え、前記制御回路が、前記排出された透析液の前記測定された特性に基づいて腹膜炎を検出する、例１に記載の装置。
【００２９】
例２３．患者及び／又は介護者に指示を送達するためのインターフェースをさらに備え、前記腹膜炎が検出される場合に、前記制御回路が、警告指示を生成するべく前記インターフェースに信号を発する、例２２に記載の装置。
【００３０】
例２４．通信回路をさらに備え、前記通信回路が、前記警告指示を医師に送信する、例２３に記載の装置。
【００３１】
例２５．前記腹膜炎が検出される場合に、前記制御回路が、前記治療プロトコルの少なくとも１つのパラメータを修正する又は前記メモリに記憶された代替的な治療プロトコルを選択する、例２２〜例２４のいずれか１つに記載の装置。
【００３２】
例２６．前記生物学的特性が、前記排出された透析液中の白血球数を含む、例２２〜例２５のいずれか１つに記載の装置。
【００３３】
例２７．前記物理的特性が、前記排出された透析液の濁度レベルを含む、例２２〜例２６のいずれか１つに記載の装置。
【００３４】
例２８．前記センサが、少なくとも１つの波長の前記排出された透析液の光学密度を測定するように構成された光学センサである、例２２〜例２７のいずれか１つに記載の装置。
【００３５】
例２９．装置を用いて排出された透析液の内容物に基づいて腹膜透析治療を修正するための方法であって、
前記装置の少なくとも１つのセンサ又は手動インジケータにより、前記排出された透析液の前記内容物に関係した少なくとも１つのパラメータを測定することと、
前記測定の前記少なくとも１つのパラメータに基づいて前記治療を修正することと、
を含む、方法。
【００３６】
例３０．前記測定の前記少なくとも１つのパラメータに基づいて腹膜炎を検出することを含む、例２９に記載の方法。
【００３７】
例３１．前記検出することに基づいて前記腹膜炎を治療することを含む、例３０に記載の方法。
【００３８】
例３２．前記治療することが、透析液バッグに抗生物質を添加するように前記装置のユーザに命令することを含む、例３１に記載の方法。
【００３９】
例３３．前記治療することが、透析液バッグを抗生物質が入っているバッグに切り換えることを含む、例３２に記載の方法。
【００４０】
例３４．前記少なくとも１つのパラメータが、炎症に関連するパラメータである、例２９〜例３３のいずれか１つに記載の方法。
【００４１】
例３５．前記炎症に関連するパラメータが、前記排出された透析液の濁度レベルを含む、例３４に記載の方法。
【００４２】
例３６．前記炎症に関連するパラメータが、前記排出された透析液中の白血球及び／又は細菌のレベルを含む、例３４に記載の方法。
【００４３】
例３７．前記炎症に関連するパラメータが、前記排出された透析液中の炎症促進性サイトカインのレベルを含む、例３４に記載の方法。
【００４４】
例３８．前記修正することが、腹膜腔に抗生物質溶液を注入することを含む、例３１〜例３７のいずれか１つに記載の方法。
【００４５】
例３９．前記修正することが、前記治療を終了することを含む、例３０に記載の方法。
【００４６】
例４０．前記測定の前記少なくとも１つのパラメータの値に基づいて腹膜透析治療効果を判定することを含む、例２９に記載の方法。
【００４７】
例４１．前記少なくとも１つのパラメータが、前記排出された透析液のデキストロースレベルを含む、例４０に記載の方法。
【００４８】
例４２．前記少なくとも１つのパラメータが、前記排出された透析液のクレアチニンレベルを含む、例４０又は例４１に記載の方法。
【００４９】
例４３．前記少なくとも１つのパラメータが、前記排出された透析液の尿素レベルを含む、例４０〜例４２のいずれか１つに記載の方法。
【００５０】
例４４．前記修正することが、前記効果が所望の効果よりも低い場合に腹膜腔内の透析液の滞留時間を増加させることを含む、例４０〜例４３のいずれか１つに記載の方法。
【００５１】
例４５．前記修正することが、前記効果が所望の効果よりも大きい場合に腹膜腔内の透析液の滞留時間を減少させることを含む、例４０〜例４４のいずれか１つに記載の方法。
【００５２】
例４６．前記修正することが、注入される透析液のデキストロースレベルを増加させることを含む、例４０〜例４５のいずれか１つに記載の方法。
【００５３】
例４７．前記効果が所望の効果ではない場合に患者に及び／又は介護者に指示を送達することを含む、例４０〜例４６のいずれか１つに記載の方法。
【００５４】
例４８．前記効果が所望の効果ではない場合に医師に指示を送信することを含む、例４０〜例４６のいずれか１つに記載の方法。
【００５５】
例４９．装置を用いて少なくとも１つのパラメータを有する腹膜透析治療プロトコルを修正するための方法であって、
前記装置による前記治療中に前記腹膜透析治療の少なくとも１つの結果を測定することと、
前記少なくとも１つの結果が所望の結果であるかどうかを判定することと、
前記判定により前記結果が所望の結果ではない場合に前記装置により前記少なくとも１つの治療パラメータを修正することと、
を含む、方法。
【００５６】
例５０．前記少なくとも１つの結果が、臨床結果を含む、例４９に記載の方法。
【００５７】
例５１．前記少なくとも１つの臨床結果が、排出された透析液の体積を含み、前記修正することが、前記排出された透析液の体積に基づいて透析液の滞留時間及び／又は前記透析液の内容物を修正することを含む、例５０に記載の方法。
【００５８】
例５２．前記少なくとも１つの臨床結果が、排出された透析液の化学的及び／又は生物学的内容物を含み、前記修正することが、前記排出された透析液の前記内容物に基づいて透析液の滞留時間及び／又は前記透析液の内容物を修正することを含む、例５０に記載の方法。
【００５９】
例５３．前記少なくとも１つの臨床結果が、排出された透析液のイオン強度を含み、前記修正することが、前記排出された透析液の前記イオン強度に基づいて透析液の滞留時間及び／又は前記透析液のデキストロースレベルを修正することを含む、例５０に記載の方法。
【００６０】
例５４．前記装置のユーザに関係した入力を受信することを含み、前記入力が、前記ユーザの臨床入力及び／又は前記ユーザによる前記装置の作動に関係した入力を含む、例４９〜例５３のいずれか１つに記載の方法。
【００６１】
例５５．前記入力が、前記ユーザによる前記装置の作動に関する入力を含む、例５４に記載の方法。
【００６２】
例５６．前記判定することが、前記入力に基づく前記装置の前記作動が、決定された治療プロトコルに従っているかどうかを判定することを含む、例５５に記載の方法。
【００６３】
例５７．前記判定に基づいて治療コンプライアンスレポートを生成することを含む、例５６に記載の方法。
【００６４】
例５８．前記治療コンプライアンスレポートを医師又は専門家に送信することを含む、例５７に記載の方法。
【００６５】
例５９．例５６〜例５８のいずれか１つに記載の方法であって、前記装置の前記作動が前記決定された治療プロトコルに従っていない場合に前記ユーザに警告することを含む、方法。
【００６６】
例６０．腹膜透析装置の取り外し可能なユニットであって、
取り外し可能なハウジングと、
前記ハウジング内のポンプロータと部分的に関連付けられるように形状設定及び寸法設定された２つの開口部を有するチュービングと、
少なくとも２つのコネクタと、
を備え、前記２つのコネクタのそれぞれが、前記チュービングに前記２つの開口部のうちの１つで接続され、前記２つのコネクタが、前記ハウジングの同じ側部に固定される、ユニット。
【００６７】
例６１．前記２つのコネクタのうちの少なくとも１つが消毒コネクタであり、前記チュービングが、前記消毒コネクタの近位に消毒流体を備える、例６０に記載のユニット。
【００６８】
例６２．前記消毒コネクタが、外部コネクタにより破られるように形状設定及び寸法設定された少なくとも１つのホイルを備える、例６１に記載のユニット。
【００６９】
例６３．前記コネクタの付近で前記チュービングを取り囲む少なくとも２つの流量調整器を備え、前記流量調整器が、前記チュービングと前記コネクタとの間で流体を流すように形状設定及び寸法設定される、例６０〜例６２のいずれか１つに記載のユニット。
【００７０】
以下は、本発明のいくつかの実施形態のいくつかのさらなる例である。
【００７１】
例１．腹膜透析治療をモニタリング及び／又は修正するための装置であって、
少なくとも１つの治療プロトコルを記憶するメモリと、
前記メモリに接続された制御回路と、
を備え、前記制御回路が、前記治療の結果が前記治療プロトコルの所望の結果ではない場合にレポートを生成する及び／又は前記治療を修正する、装置。
【００７２】
例２．インターフェースをさらに備え、前記インターフェースが、前記レポートに基づいて患者及び／又は介護者に警告を送達する、例１に記載の装置。
【００７３】
例３．カテーテルへ流体を流すように形状設定及び寸法設定されたチュービングをさらに備え、前記制御回路が、前記流体の前記流れに基づいて及び／又は前記チュービング内の前記流体内容物に基づいて前記治療を修正する、例２に記載の装置。
【００７４】
例４．前記チュービングに関連してポンプロータを備え、前記ポンプロータが、前記流体を動かすように構成され、前記制御回路が、前記ポンプロータの回転を修正することにより前記治療を修正する、例３に記載の装置。
【００７５】
例５．前記チュービングに流体接続される少なくとも１つの試験経路を備え、前記試験経路が、前記チュービングから前記試験経路へ少なくとも一部の流体を流すように形状設定及び寸法設定される、例３及び例４のいずれか１つに記載の装置。
【００７６】
例６．前記チュービング内の流体を通過する光の特性を測定するために前記制御回路に接続される少なくとも１つの光センサを備える、例３〜例５のいずれか１つに記載の装置。
【００７７】
例７．前記試験経路内の流体の色を視覚的に分析するために前記試験経路の近位に少なくとも１つのカラースケールを備え、前記カラースケールが、透析液の色又はその指示を含む、例５に記載の装置。
【００７８】
例８．少なくとも１つの患者臨床パラメータを感知するために前記制御回路に接続される少なくとも１つの臨床センサを備え、前記治療の前記結果が、前記患者臨床パラメータにより示される臨床結果である、例２に記載の装置。
【００７９】
例９．前記患者臨床パラメータが、心拍数、血圧、及び／又は体重からなるリストから選択される、例８に記載の装置。
【００８０】
例１０．前記患者臨床パラメータが所望の値の範囲内にない場合に、前記制御回路が、患者への及び／又は介護者への警告を生成するべく前記インターフェースに信号を発する、例８又は例９のいずれか１つに記載の装置。
【００８１】
例１１．前記患者臨床パラメータが所望の値の範囲内にない場合に医師に指示を送信するための通信回路をさらに備える、例８〜例１０のいずれか１つに記載の装置。
【００８２】
例１２．前記メモリが前記患者臨床パラメータの値を記憶する、例８〜例１１のいずれか１つに記載の装置。
【００８３】
例１３．前記患者臨床パラメータが所望の値の範囲内にない場合に、前記制御回路が、前記治療を修正し、又は少なくとも１つの治療パラメータを修正し、又は前記メモリに記憶された異なる治療プロトコルを選択し、前記少なくとも１つの修正される治療パラメータが、注入される透析液の滞留時間、治療持続時間、及び／又は組成を含む、例８〜例１２のいずれか１つに記載の装置。
【００８４】
例１４．前記チュービング内の透析液流体の化学組成を測定するために前記制御回路に接続される少なくとも１つの臨床センサを備える、例３に記載の装置。
【００８５】
例１５．前記臨床センサが、前記透析液流体のイオン強度及び／又は前記透析液流体中のデキストロースレベル及び／又は尿素レベル及び／又はクレアチニンレベルを測定する、例１４に記載の装置。
【００８６】
例１６．前記化学組成が所望の値の範囲内にない場合に、前記制御回路が、警告指示を生成するべく前記インターフェースに信号を発する、例１４又は例１５のいずれか１つに記載の装置。
【００８７】
例１７．前記化学組成が所望の値の範囲内にない場合に、前記制御回路が、前記治療を修正し、又は少なくとも１つの治療パラメータを修正し、又は異なる治療プロトコルを選択し、前記治療の前記少なくとも１つの修正されるパラメータが、注入される透析液の滞留時間、治療持続時間、及び／又は組成を含む、例１４〜例１６のいずれか１つに記載の装置。
【００８８】
例１８．排出プロセス中に排出された透析液の生物学的特性及び／又は化学的特性及び／又は物理的特性を測定するための少なくとも１つのセンサをさらに備え、前記制御回路が、前記排出された透析液の前記測定された特性に基づいて腹膜炎を検出する、例１に記載の装置。
【００８９】
例１９．患者及び／又は介護者に指示を送達するためのインターフェースをさらに備え、前記腹膜炎が検出される場合に、前記制御回路が、警告指示を生成するべく前記インターフェースに信号を発する、例１８に記載の装置。
【００９０】
例２０．通信回路をさらに備え、前記通信回路が、前記警告指示を医師に送信する、例１９に記載の装置。
【００９１】
例２１．前記腹膜炎が検出される場合に、前記制御回路が、前記治療プロトコルの少なくとも１つのパラメータを修正する又は前記メモリに記憶された代替的な治療プロトコルを選択する、例１８〜例２０のいずれか１つに記載の装置。
【００９２】
例２２．前記物理的特性が、前記排出された透析液の濁度レベルを含む、例１８〜例２１のいずれか１つに記載の装置。
【００９３】
例２３．前記少なくとも１つのセンサが、１つ又は複数の波長の前記排出された透析液の少なくとも１つの光学パラメータを測定するように構成された光学センサである、例１８〜例２２のいずれか１つに記載の装置。
【００９４】
例２４．前記少なくとも１つのセンサが、５００〜６５０ｎｍの範囲内及び／又は１５０〜３５０ｎｍの範囲内の１つ又は複数の波長の前記排出された透析液を通過する光の吸収及び／又は散乱を測定するように構成される、例２３に記載の装置。
【００９５】
例２５．前記少なくとも１つのセンサが、５００〜６５０ｎｍの波長範囲内の１つ又は複数の波長の前記排出された透析液を通過する光の吸収及び／又は散乱を測定するように構成された第１のセンサと、１５０〜３５０ｎｍの波長範囲内の１つ又は複数の波長の前記排出された透析液を通過する光の吸収及び／又は散乱を測定するように構成された第２のセンサを含む、例１８に記載の装置。
【００９６】
例２６．前記少なくとも１つのセンサが、５００〜６５０ｎｍの波長範囲内の前記排出された透析液を通過する光の吸収及び／又は散乱を測定するように構成された第１のセンサと、可視光波長の前記排出された透析液を通過する光の吸収及び／又は散乱を測定するように構成された第２のセンサを含む、例１８に記載の装置。
【００９７】
例２７．前記制御回路が、前記光吸収及び／又は光散乱測定に基づいて腹膜炎を検出する、例２４〜例２６のいずれか１つに記載の装置。
【００９８】
例２８．前記制御回路に電気的に接続されるバッテリを備える、前記例のいずれか１つに記載の装置。
【００９９】
例２９．腹膜透析システムであって、
電気モータと、前記電気モータに電気的に接続され、前記電気モータに電力を提供するように構成されたバッテリとを備える、耐久ユニットと、
前記モータに接続可能なロータと、前記ロータと少なくとも部分的に接触しているチュービングとを備える、前記耐久ユニットに取り付けられるように構成された、取り外し可能なユニットと、
を備え、前記システム重量が４０００ｇｒを下回る、システム。
【０１００】
例３０．前記システムが透析液ヒータを備えない、例２９に記載のシステム。
【０１０１】
例３１．排出された透析液で生理的状態を検出するための方法であって、
腹膜透析装置の少なくとも１つのセンサ又は手動インジケータにより、前記排出された透析液の前記内容物に関係した少なくとも１つのパラメータを測定することと、
前記少なくとも１つのパラメータに基づいて生理的状態を検出することと、
を含む、方法。
【０１０２】
例３２．前記生理的状態が、腹膜炎、前腹膜炎、又は後腹膜炎を含む、例３１に記載の方法。
【０１０３】
例３３．前記検出することに基づいて前記生理的状態に関する治療を示すことを含む、例３１に記載の方法。
【０１０４】
例３４．前記示すことが、透析液バッグに抗生物質を添加することを前記装置のユーザに示すことを含む、例３３に記載の方法。
【０１０５】
例３５．前記示すことが、透析液バッグを抗生物質が入っているバッグに切り換えることを示すことを含む、例３３又は例３４のいずれか１つに記載の方法。
【０１０６】
例３６．前記少なくとも１つのパラメータが炎症に関連するパラメータであり、前記生理的状態が炎症を含む、例３２〜例３５のいずれか１つに記載の方法。
【０１０７】
例３７．前記炎症に関連するパラメータが、前記排出された透析液の濁度レベルを含む、例３６に記載の方法。
【０１０８】
例３８．前記炎症に関連するパラメータが、前記排出された透析液中の白血球及び／又は細菌のレベルを含む、例３６に記載の方法。
【０１０９】
例３９．前記示すことが、腹膜腔に抗生物質溶液を注入することを示すことを含む、例３２〜例３８のいずれか１つに記載の方法。
【０１１０】
例４０．前記測定の前記少なくとも１つのパラメータの値に基づいて腹膜透析治療効果を判定することを含む、例３１〜例３９のいずれか１つに記載の方法。
【０１１１】
例４１．前記少なくとも１つのパラメータが、前記排出された透析液のデキストロースレベルを含む、例４０に記載の方法。
【０１１２】
例４２．前記少なくとも１つのパラメータが、前記排出された透析液のクレアチニンレベルを含む、例４０又は例４１のいずれか１つに記載の方法。
【０１１３】
例４３．前記少なくとも１つのパラメータが、前記排出された透析液の尿素レベルを含む、例４０〜例４２のいずれか１つに記載の方法。
【０１１４】
例４４．前記示すことが、前記効果が所望の効果よりも低い場合に腹膜腔内の透析液の滞留時間を増加させることを示すことを含む、例４０〜例４３のいずれか１つに記載の方法。
【０１１５】
例４５．前記示すことが、前記効果が所望の効果ではない場合に又は腹膜炎が検出される場合に患者及び／又は介護者に示すことを含む、例４０〜例４４のいずれか１つに記載の方法。
【０１１６】
例４６．前記効果が所望の効果ではない場合に又は腹膜炎が検出される場合に医師に指示を送信することを含む、例４０〜例４５のいずれか１つに記載の方法。
【０１１７】
例４７．腹膜透析装置の取り外し可能なユニットであって、
前記取り外し可能なユニットを入れる取り外し可能なハウジングと、
前記ハウジング内のポンプロータと部分的に関連付けられるように形状設定及び寸法設定された２つの開口部を有するチュービングと、
少なくとも２つのコネクタと、
を備え、前記２つのコネクタのそれぞれが、前記チュービングに前記２つの開口部のうちの１つで接続され、前記２つのコネクタが、前記ハウジングの同じ側部に固定される、ユニット。
【０１１８】
例４８．前記２つのコネクタのうちの少なくとも１つが消毒コネクタであり、前記チュービングが、前記消毒コネクタの近位に消毒流体を備える、例４７に記載のユニット。
【０１１９】
例４９．前記消毒コネクタが、外部コネクタにより破られるように形状設定及び寸法設定された少なくとも１つのホイルを備える、例４８に記載のユニット。
【０１２０】
例５０．前記コネクタの付近で前記チュービングを取り囲む少なくとも２つの流量調整器を備え、前記流量調整器が、前記チュービングと前記コネクタとの間で流体を流すように形状設定及び寸法設定される、例４７〜例４９のいずれか１つに記載のユニット。
【０１２１】
他に定めのない限り、本明細書で用いられるすべての技術用語及び／又は科学用語は、本発明に関係のある当該技術分野の当業者によって通常理解されるのと同じ意味をもつ。本明細書で説明されるのと類似した又は等価な方法及び材料を本発明の実施形態の実施及び試験に用いることができるが、例示的な方法及び／又は材料を以下に説明する。抵触する場合、定義を含む特許明細書が抑制することになる。加えて、材料、方法、及び例は、単なる例示であって、必ずしも限定することを意図していない。
【０１２２】
当業者には分かるように、本発明のいくつかの実施形態は、システム、方法、又はコンピュータプログラム製品として具体化され得る。したがって、本発明のいくつかの実施形態は、本明細書ですべて概して「回路」、「モジュール」、又は「システム」として言及され得る、完全にハードウェアの実施形態、完全にソフトウェアの実施形態（ファームウェア、常駐ソフトウェア、マイクロコードなどを含む）、又はソフトウェア態様とハードウェア態様とを組み合わせる実施形態の形態をとり得る。さらに、本発明のいくつかの実施形態は、そこで具体化されるコンピュータ可読プログラムコードを有する１つ又は複数のコンピュータ可読媒体において具体化されるコンピュータプログラム製品の形態をとり得る。本発明のいくつかの実施形態の方法及び／又はシステムの実装は、選択されたタスクを手動で、自動的に、又はこれらの組み合わせで行うこと及び／又は完了することを含むことができる。さらに、本発明の方法及び／又はシステムのいくつかの実施形態の実際の計装及び機器によれば、いくつかの選択されたタスクは、ハードウェアにより、ソフトウェアにより、又はファームウェアにより、及び／又はそれらの組み合わせにより、例えば、オペレーティングシステムを用いて実装することもできる。
【０１２３】
例えば、本発明のいくつかの実施形態に係る選択されたタスクを行うためのハードウェアは、チップ又は回路として実装することもできる。ソフトウェアとして、本発明のいくつかの実施形態に係る選択されたタスクは、任意の適切なオペレーティングシステムを用いてコンピュータにより実行される複数のソフトウェア命令として実装することもできる。本発明の例示的な実施形態では、本明細書で説明される方法及び／又はシステムのいくつかの例示的な実施形態に係る１つ又は複数のタスクは、複数の命令を実行するための計算プラットフォームなどのデータプロセッサにより行われる。随意的に、データプロセッサは、命令及び／又はデータを記憶するための揮発性メモリ、及び／又は、命令及び／又はデータを記憶するための不揮発性ストレージ、例えば、磁気ハードディスク及び／又はリムーバブルメディアを含む。随意的に、ネットワーク接続が同様に提供される。ディスプレイ及び／又はキーボード又はマウスなどのユーザ入力装置が随意的に同様に提供される。
【０１２４】
１つ又は複数のコンピュータ可読媒体の任意の組み合わせが、本発明のいくつかの実施形態に関して用いられ得る。コンピュータ可読媒体は、コンピュータ可読信号媒体又はコンピュータ可読記憶媒体であり得る。コンピュータ可読記憶媒体は、例えば、限定はされないが、電子、磁気、光学、電磁気、赤外線、又は半導体システム、装置、又はデバイス、又は上記の任意の適切な組み合わせであり得る。コンピュータ可読記憶媒体のより具体的な例（網羅的でないリスト）は、１つ又は複数の配線を有する電気接続、ポータブルコンピュータディスケット、ハードディスク、ランダムアクセスメモリ（ＲＡＭ）、読出し専用メモリ（ＲＯＭ）、消去可能でプログラム可能な読出し専用メモリ（ＥＰＲＯＭ又はフラッシュメモリ）、光ファイバ、ポータブルコンパクトディスク読出し専用メモリ（ＣＤ−ＲＯＭ）、光学記憶装置、磁気記憶装置、又は上記の任意の適切な組み合わせを含むであろう。本明細書との関連での、コンピュータ可読記憶媒体は、命令実行システム、装置、又はデバイスにより又はこれと関連して用いるためのプログラムを格納又は記憶することができる任意の有形媒体であり得る。
【０１２５】
コンピュータ可読信号媒体は、例えば、ベースバンドにおいて又は搬送波の一部として、そこで具体化されるコンピュータ可読プログラムコードを有する伝搬されるデータ信号を含み得る。このような伝搬される信号は、電磁気、光学、又はそれらの任意の適切な組み合わせを含むがこれらに限定されない、様々な形態のいずれかをとり得る。コンピュータ可読信号媒体は、命令実行システム、装置、又はデバイスにより又はこれと関連して用いるためのプログラムを通信する、伝搬する、又は輸送することができる、コンピュータ可読記憶媒体ではない、任意のコンピュータ可読媒体であり得る。
【０１２６】
コンピュータ可読媒体上で具体化されるプログラムコード及び／又はそれにより用いられるデータは、無線、ワイヤライン、光ファイバケーブル、ＲＦなど、又は上記の任意の適切な組み合わせを含むがこれらに限定されない、任意の適切な媒体を用いて伝送され得る。
【０１２７】
本発明のいくつかの実施形態に関する動作を実行するためのコンピュータプログラムコードは、Ｊａｖａ（登録商標）、Ｓｍａｌｌｔａｌｋ、Ｃ＋＋などのオブジェクト指向プログラミング言語及び「Ｃ」プログラミング言語又は類似のプログラミング言語などの従来の手続き型プログラミング言語を含む、１つ又は複数のプログラミング言語の任意の組み合わせで書かれ得る。プログラムコードは、完全にユーザのコンピュータ上で、部分的にユーザのコンピュータ上で、部分的にユーザのコンピュータ上で独立型のソフトウェアパッケージとして、及び部分的に遠隔コンピュータ上で、又は完全に遠隔コンピュータ又はサーバ上で実行し得る。後者のシナリオでは、遠隔コンピュータは、ローカルエリアネットワーク（ＬＡＮ）又は広域ネットワーク（ＷＡＮ）を含むあらゆるタイプのネットワークを通じてユーザのコンピュータに接続されてよく、又は接続は、外部コンピュータとなされてよい（例えば、インターネットサービスプロバイダを用いてインターネットを通じて）。
【０１２８】
本発明のいくつかの実施形態が、本発明の実施形態に係る方法、装置（システム）、及びコンピュータプログラム製品のフローチャート図及び／又はブロック図を参照して以下に説明され得る。フローチャート図及び／又はブロック図の各ブロック、及びフローチャート図及び／又はブロック図におけるブロックの組み合わせは、コンピュータプログラム命令により実装することができることが理解されるであろう。これらのコンピュータプログラム命令は、コンピュータ又は他のプログラム可能なデータ処理装置のプロセッサを介して実行する命令がフローチャート図及び／又はブロック図の１つ又は複数のブロックで指定される機能／動作を実装するための手段を生み出すようにマシンを作製するべく、汎用コンピュータ、特殊用途コンピュータ、又は他のプログラム可能なデータ処理装置のプロセッサに提供され得る。
【０１２９】
これらのコンピュータプログラム命令はまた、コンピュータ可読媒体に記憶された命令がフローチャート図及び／又はブロック図の１つ又は複数のブロックで指定される機能／動作を実装する命令を含む製品をもたらすようにコンピュータ、他のプログラム可能なデータ処理装置、又は他のデバイスに特定の様態で機能するように誘導することができるコンピュータ可読媒体に記憶され得る。
【０１３０】
コンピュータプログラム命令はまた、コンピュータ又は他のプログラム可能な装置上で実行する命令がフローチャート図及び／又はブロック図の１つ又は複数のブロックで指定される機能／動作を実装するためのプロセスを提供するようにコンピュータで実装されるプロセスをもたらすべく一連の動作ステップがコンピュータ、他のプログラム可能な装置、又は他のデバイス上で行われるように、コンピュータ、他のプログラム可能なデータ処理装置、又は他のデバイス上にロードされ得る。
【０１３１】
本明細書で説明される方法のうちのいくつかは、概してコンピュータによる使用に限られるように設計され、人間専門家により手動だけで行うことが実行可能又は実施可能ではない場合がある。腹膜透析治療のモニタリングなどの同様のタスクを手動で行うことを望む人間専門家は、例えば、専門知識及び／又は人間の脳のパターン認識能力を活用して全く異なる方法を用いることが期待され、これは本明細書で説明される方法のステップを手動で進めるよりも大いに効率的であろう。
【０１３２】
本発明のいくつかの実施形態が、添付図を参照しながら単なる例として本明細書で説明される。ここで図面を具体的に詳細に参照すると、具体的に示されているのは、本発明の実施形態を例示的に説明する目的での単なる例であることが強調される。これに関して、図面と共にとられる説明は、本発明の実施形態がどのように実施され得るかを当業者に明らかにする。
【図面の簡単な説明】
【０１３３】
【図１】本発明のいくつかの実施形態に係る、透析治療をモニタリング及び調節するためのシステムのブロック図である。
【図２】本発明のいくつかの実施形態に係る、透析治療をモニタリング及び調節するための装置のブロック図である。
【図３】本発明のいくつかの実施形態に係る、治療セッション中に透析治療を修正するための一般的なプロセスの流れ図である。
【図４】本発明のいくつかの実施形態に係る、治療セッション前に透析治療を修正するための一般的なプロセスの流れ図である。
【図５】本発明のいくつかの実施形態に係る、実際の治療の変動に従って透析治療を修正するための一般的なプロセスの流れ図である。
【図６】本発明のいくつかの実施形態に係る、透析治療との患者コンプライアンスをモニタリングするためのプロセスの流れ図である。
【図７Ａ】本発明のいくつかの実施形態に係る、排出された透析液の内容物に基づいて臨床状態を判定するためのプロセスの流れ図である。
【図７Ｂ】本発明のいくつかの実施形態に係る、腹膜炎を検出するためのプロセスの流れ図である。
【図７Ｃ】本発明のいくつかの実施形態に係る、吸収及び／又は散乱を測定することにより腹膜炎を検出するためのプロセスの流れ図である。
【図８】本発明のいくつかの実施形態に係る、腹膜透析治療を最適化するためのプロセスの流れ図である。
【図９】図９Ａ及び９Ｂは、本発明のいくつかの実施形態に係る、腹膜透析装置の作動のためのプロセスの流れ図である。
【図１０】本発明のいくつかの実施形態に係る、腹膜透析装置との対話の概略図である。
【図１１】本発明のいくつかの実施形態に係る、腹膜透析治療の送達のためのシステムの概略図である。
【図１２】本発明のいくつかの実施形態に係る、腹膜透析治療をモニタリングする及び／又は制御するためのシステムの概略図である。
【図１３−１】図１３Ａ〜１３Ｇは、本発明のいくつかの実施形態に係る、透析液試験手段を有する腹膜透析装置及びシステムの概略図である。
【図１３−２】図１３Ｈ〜１３Ｌは、本発明のいくつかの実施形態に係る、使い捨てユニットの概略図である。
【図１３−３】図１３Ｍは、本発明のいくつかの実施形態に係る、組み立てられた使い捨てユニットの概略図である。
【図１３−４】図１３Ｎ〜１３Ｐは、本発明のいくつかの実施形態に係る、組み立てられた透析システムの概略図である
【図１４】図１４Ａ〜１４Ｄは、本発明のいくつかの実施形態に係る、取り外し可能なポータブル腹膜透析装置及び腹膜透析サイクラーベースを有する腹膜透析システムの概略図である。
【発明を実施するための形態】
【０１３４】
本発明は、そのいくつかの実施形態において、治療をモニタリングするための装置に関し、より具体的には、しかし排他的にではなく、腹膜透析治療をモニタリングするための装置に関する。
【０１３５】
いくつかの実施形態の広い態様は、治療の少なくとも１つの影響に基づいて腹膜透析治療の種々のパラメータを調整することに関係する。随意的に、腹膜透析装置により治療パラメータの修正が適用される。いくつかの実施形態では、調整は、腹膜腔内の透析液の注入プロセスの持続時間及び／又は排出プロセスの持続時間及び／又は滞留時間を修正することを含む。いくつかの実施形態では、調整は、例えば、腹膜炎を治療するべく、注入される透析液の組成を修正すること及び／又は異なるプロトコル計画を選択することを含む。いくつかの実施形態では、調整は、望ましくない治療効果に従って治療プロトコルの少なくとも１つのパラメータを修正することを含む。いくつかの実施形態では、治療が延期される又は提議される。いくつかの実施形態では、一日当たりの透析液の量が修正される。いくつかの実施形態では、治療スケジュール及び／又は治療タイプが修正される。
【０１３６】
いくつかの実施形態の一態様は、治療セッション中に腹膜透析治療を修正することに関係する。いくつかの実施形態では、治療は、治療セッション中にユーザからのフィードバック又は入力に基づいて自動的に修正される。いくつかの実施形態では、入力は、治療持続時間及び／又は治療開始タイミングの変化を含む。代替的に又は加えて、治療は、治療セッション中に行われた測定に基づいて修正される。いくつかの実施形態では、治療は、治療セッション間に行われる測定、例えば、患者の臨床測定に基づいて修正される。
【０１３７】
いくつかの例示的な実施形態によれば、治療は、治療が安全ではない場合に修正される。いくつかの実施形態では、治療は、少なくとも１つのパラメータ値が結果的に安全でない治療をもたらす場合に修正される。いくつかの実施形態では、治療は、透析液バッグの内容物及び／又は透析液バッグの識別情報及び／又は透析液バッグの使用期限が有効ではないときに修正される又は遅延される。代替的に又は加えて、治療は、例えば、透析液バッグの内容物の妥当性に関する、治療セッションの前に受信した情報に基づいて修正される。
【０１３８】
いくつかの実施形態では、治療は、炎症を示すパラメータの測定、例えば、体温測定及び／又は排出された透析液の濁度レベルに基づいて修正される。いくつかの実施形態では、炎症を示すパラメータは、排出された透析液中の白血球（ＷＢＣ）のレベルを含む。いくつかの実施形態では、決定されたレベルよりも高い白血球カウント、例えば、４０ＷＢＣ／ｍｌ、例えば、５０、５５、６０、６５ＷＢＣ／ｍｌ、又は任意の中間値又はより大きい値よりも高い白血球カウントは、炎症を示す。いくつかの実施形態では、ＷＢＣカウントは、例えば、治療前のベースライン又は参照カウントに対するものである。代替的に、ＷＢＣカウントは、例えば、臨床変動を検出するべく、既知の臨床基準と比較され、又はいくつかの実施形態では、治療は、患者の一般的な臨床状態、例えば、心臓の脈拍、血圧、及び／又は体温、及び／又は体重、又は体重の変化に関する指示を提供する測定に基づいて修正される。いくつかの実施形態では、治療は、治療効果、例えば、排出された透析液中のデキストロースレベル、クレアチニンレベル、尿素レベル、カリウムレベル、リンレベル、又は任意の化学物質、ミネラル、又は生物学的物質に関する指示を提供する測定に基づいて修正される。いくつかの実施形態では、排出された透析液中の流体の量も、治療効果に関する指標である。いくつかの実施形態では、食品の摂取後に、予想される排出される透析液が計算され、随意的に、排出される透析液の実際の体積と予想される体積との関係性に基づいて治療効果が判定される。
【０１３９】
いくつかの実施形態では、測定は、ベースライン又は参照測定に対するものである。いくつかの実施形態では、測定値は、例えば、臨床変動を判定するべく、既知の基準と比較される。いくつかの実施形態では、排出される透析液中のデキストロースレベル、クレアチニンレベル、尿素レベル、カリウムレベル、リンレベル、又は任意の化学物質、ミネラル、又は生物学的物質は、腹膜腔内の透析液の特定の滞留時間に関係する。いくつかの実施形態では、装置のメモリは、特定の滞留時間内に測定される化学パラメータ及び／又は生物学的パラメータに関する値の範囲を格納する。
【０１４０】
いくつかの実施形態の一態様は、治療中の計画された腹膜透析治療の変動を補償することに関係する。いくつかの実施形態では、腹膜透析装置は、例えば、透析液バッグが有効なバッグではないときに、患者及び／又は介護者により又はコンピュータ自体により導入された治療の修正に従って腹膜透析治療プロトコルを変更する。いくつかの実施形態では、治療は、例えば、治療セッションが時期尚早に終了されるときに、若しくはカテーテルが接続解除される又は時期尚早に接続解除されるときに、若しくは事前に決定された治療プロトコルと一致しない何らかのアクション時に、装置により修正される。代替的に又は加えて、腹膜透析治療装置は、少なくとも１つの臨床パラメータの測定に従って腹膜透析治療プロトコルを変更する。
【０１４１】
いくつかの実施形態の一態様は、治療中に腹膜透析治療をモニタリングすることに関係する。いくつかの実施形態では、装置は、治療のモニタリングに基づいて患者に指示及び／又は警告を送達する。いくつかの実施形態では、腹膜透析装置は、治療の異なるステップ、例えば、患者カテーテルへの流体経路の生成及び／又は消毒、透析液のポンプによる送り込み及び／又は排出をモニタリングする。いくつかの実施形態では、装置は、患者の臨床パラメータ、例えば、脈拍、血圧、及び／又は体温を測定する。いくつかの実施形態では、装置は、実際の治療が事前に決定された治療計画に従うかどうかを判定する。
【０１４２】
いくつかの実施形態の一態様は、腹膜炎の検出及び／又は治療、及び／又は腹膜炎の進行のモニタリングに関係する。いくつかの実施形態では、腹膜炎は、腹膜透析治療セッション中に検出及び／又は治療される。いくつかの実施形態では、腹膜炎は、治療セッション中に排出された透析液を分析することにより検出される。随意的に、排出された透析液の内容物は、治療セッション中に継続的に分析される。代替的に、排出された透析液の内容物は、透析治療の排出手技中に少なくとも２回分析される。いくつかの実施形態では、例えば、腹膜炎の検出を可能にするべく、排出された透析液内の白血球及び／又は炎症促進性サイトカインのレベル及び／又は生きている又は死んだ細菌レベル及び／又は真菌レベルが測定される。いくつかの実施形態では、腹膜炎の検出後に、患者は、特定の交換サイクル数で新鮮な透析液バッグに抗生物質を注入する命令を受信する。
【０１４３】
いくつかの実施形態では、患者の臨床パラメータ測定に基づいて腹膜炎が検出される。いくつかの実施形態では、臨床パラメータは、治療セッション中に測定される。随意的に、臨床パラメータ測定と排出された透析液内容物の分析との組み合わせに基づいて腹膜炎が検出される。いくつかの実施形態では、測定された臨床パラメータ及び／又は排出された透析液の分析に基づいて腹膜炎が検出される場合に、指示が提供される。いくつかの実施形態では、指示は、患者に及び／又は医師に及び／又は介護者に送達される。
【０１４４】
いくつかの実施形態では、臨床パラメータの測定値及び／又は排出された透析液の分析結果が、腹膜炎を検出するために、意思決定者、例えば、医師又は装置又は遠隔コンピュータに送達される。いくつかの実施形態では、臨床パラメータの測定値及び／又は排出された透析液の分析結果は、腹膜炎の進行をモニタリングするために意思決定者に送達される。
【０１４５】
いくつかの実施形態では、排出された透析液の濁度レベル又は濁度の変化に基づいて腹膜炎又は腹膜炎指示が判定される。いくつかの実施形態では、排出された透析液の濁度レベルは、炎症レベルの指標である。いくつかの実施形態では、排出された透析液の濁度レベルは、腹膜スペース内の細菌及び／又は真菌のレベルの指標である。いくつかの実施形態では、測定された濁度レベルが所望の濁度閾値を超える場合、患者に及び／又は医師に及び／又は介護者に指示が提供される。
【０１４６】
いくつかの実施形態では、腹膜炎が検出される場合、腹膜透析治療が終了される又は修正される。いくつかの実施形態では、腹膜炎が検出される場合、腹膜炎治療計画が提案される。いくつかの実施形態では、腹膜炎治療計画は、抗生物質又は抗炎症溶液での腹膜腔の少なくとも１回の洗浄を含む。代替的に又は加えて、腹膜炎治療計画は、抗生物質及び／又は抗炎症薬を含む透析液溶液の注入を含む。
【０１４７】
いくつかの実施形態によれば、腹膜炎のリスクを低減するために、腹膜透析装置は、患者のカテーテルへの及び／又は患者のカテーテルからの流路を接続及び消毒する。いくつかの実施形態では、腹膜炎を検出する、随意的に早期に検出するために、装置は、排出された透析液溶液中の粒子を測定及び検出する。いくつかの実施形態では、例えば、白色又は単色の光源が、排出された透析液が流れる流体流路の近くに配置される。随意的に、センサ、例えば、光学センサが、１つ又は複数の光学パラメータ、例えば、１つ又は複数の波長の排出された透析液を通って移動する光の光吸収、光散乱を測定する。随意的に、光学センサは、排出された透析液を通って光が移動する間の光の強度の減少を測定する。いくつかの実施形態では、装置が、排出された透析液を通って移動する光の吸収及び／又は散乱を測定する。いくつかの実施形態では、装置の分光光度計が、排出された透析液中の粒子の存在を識別する。
【０１４８】
いくつかの実施形態によれば、排出された透析液の一部の分流部分を測定することにより腹膜炎が検出される。いくつかの実施形態では、排出された透析液は、試験経路、例えば、試験チューブへ分流される。いくつかの実施形態では、試験チューブの中で、排出された透析液は、装置に収容された試薬と反応して、例えば、排出された透析液中の細菌又はＷＢＣ又は粒子の存在に関する人間が検出可能な指示を生成することになる化学反応を生じる。いくつかの実施形態では、人間が検出可能な指示は、随意的に特定の波長の又は波長範囲内の吸光度を測定することにより検出される色指示である。いくつかの実施形態では、装置の比色計により色の変化が検出される。随意的に、チューブは、取り外し可能であり、又は、本明細書では使い捨てユニットとも呼ばれるＰＰＤＤ装置の取り外し可能なユニットの一部である。いくつかの実施形態では、チューブは、試験紙又は試薬を備える。いくつかの実施形態では、腹膜透析装置は、例えば、試験チューブが再使用される場合に逆流を防ぐ機構を備える。
【０１４９】
いくつかの実施形態の一態様は、治療中に腹膜透析治療を最適化することに関係する。いくつかの実施形態では、治療は、排出された透析液の分析に基づいて治療中に最適化される。いくつかの実施形態では、排出された透析液は、腹膜の機能レベルの指標である。いくつかの実施形態では、腹膜の機能が所望の閾値を下回る場合、透析治療の少なくとも１つのパラメータ及び／又は透析液溶液の内容物が修正される。
【０１５０】
いくつかの実施形態では、排出された透析液内の化学化合物及び／又は生物学的化合物、例えば、デキストロース、クレアチニン、及び／又は尿素のレベルが測定される。いくつかの実施形態では、排出された透析液内のデキストロースレベルが、新鮮な透析液中のデキストロースレベルと比較される。いくつかの実施形態では、腹膜の機能レベルが閾値レベルよりも低い場合、腹膜腔内の透析液の滞留時間が増加される。いくつかの実施形態では、腹膜の機能レベルが閾値レベルよりも高い場合、滞留時間が減少される。
【０１５１】
いくつかの実施形態では、排出された透析液中のデキストロースのレベルは、腹膜の劣化レベルの指標である。いくつかの実施形態では、排出された透析液中の高レベルのデキストロースは、腹膜がアポトーシス又は硬化を起こすことを示す。いくつかの実施形態では、腹膜は、随意的に膜の感染及び／又は炎症プロセスにより生じるコラーゲンの変性（ｂｌｏｃｋａｄｅ）に起因して劣化する。
【０１５２】
いくつかの実施形態によれば、排出された透析液中のクレアチニンのレベルが測定される。いくつかの実施形態では、クレアチニンレベルは、腹膜透析治療の効果に関する指示を提供する。いくつかの実施形態では、より低いクレアチニンレベル、例えば、０〜７ｍｇ／ｄｃｌの範囲内のクレアチニンレベルは、治療が低い効果を有することを示す。
【０１５３】
いくつかの実施形態では、クレアチニンレベルは、排出される透析液の流れを、排出される透析液の流路外の装置の特定の領域へ分流することにより測定される。いくつかの実施形態では、この領域において、排出された透析液流体は、装置に収容された少なくとも１つの試薬と反応する。いくつかの実施形態では、反応は色を生じ、生じた色の強度は、排出された透析液中のクレアチニンの量に比例する。いくつかの実施形態では、白色又は単色の光源と装置の少なくとも１つの光センサ配列が、排出される透析液の流路の近くに配置される。いくつかの実施形態では、光センサは、光源からの排出された透析液を通って移動する光の強度を感知する。いくつかの実施形態では、装置が、光の強度の低下を測定する。
【０１５４】
いくつかの実施形態では、例えば、クレアチニンがアルカリ性溶液中にピクリン酸との黄色がかっているオレンジの錯体を形成する熱量測定手技のＪａｆｆｅ反応である、色反応の測定は、最後の透析セッション中に除去されるクレアチニンの量を示す。この有色の錯体は、光度測定により判定される。いくつかの実施形態では、生じた色の強度は、サンプル中のクレアチニンの量に正比例する。代替的に、装置に収容された酵素が、クレアチニンレベルの指標である比色反応を生じる。
【０１５５】
いくつかの実施形態によれば、排出された透析液中の尿素のレベルが測定される。いくつかの実施形態では、尿素レベルは、腹膜透析治療の効果に関する指示を提供する。いくつかの実施形態では、より低い尿素レベル、例えば、０〜１５ｍｇ／ｄｃｌの範囲内の尿素レベルは、治療が低い効果を有することを示す。
【０１５６】
いくつかの実施形態では、尿素レベルは、排出される透析液の流れを、排出される透析液の流路外の装置の特定の領域へ分流することにより測定される。いくつかの実施形態では、この領域において、排出された透析液流体は、装置に収容された少なくとも１つの試薬と反応する。いくつかの実施形態では、反応は色を生じ、生じた色の強度は、排出された透析液中のクレアチニンの量に比例する。
【０１５７】
いくつかの実施形態では、ジアセチルモノオキシム比色法及びベルトロー反応が、尿素レベルを測定するのに用いられる。いくつかの実施形態では、この方法では、尿素が、ウレアーゼと呼ばれる酵素によりアンモニアに変換される。生じたアンモニアは、グルタミン酸デヒドロゲナーゼ（ＧＤＨ）の存在下で２−オキソグルタレート及びＮＡＤＨと組み合わされてＬ−グルタミン及びＮＡＤを生じる。ＮＡＤＨ吸光度の減少は、尿素濃度に比例する。
【０１５８】
いくつかの実施形態によれば、排出された透析液中のデキストロースのレベルが測定される。いくつかの実施形態では、デキストロースレベルは、腹膜透析治療の効果に関する指示を提供する。いくつかの実施形態では、高いデキストロースレベル、例えば、「新鮮な」透析液溶液中の元の濃度の３０％を超えるデキストロースレベルは、治療が低い効果を有することを示す。
【０１５９】
いくつかの実施形態では、デキストロースレベルは、排出される透析液の流れを、排出される透析液の流路外の装置の特定の領域へ分流することにより測定される。いくつかの実施形態では、この領域において、排出された透析液流体は、装置に収容された少なくとも１つの試薬と反応する。いくつかの実施形態では、反応は色を生じ、生じた色の強度は、排出された透析液中のデキストロースの量に比例する。
【０１６０】
いくつかの実施形態では、白色又は単色の光源と装置の少なくとも１つの光センサ配列が、排出される透析液の流路の近くに配置される。いくつかの実施形態では、光センサは、光源からの排出された透析液を通って移動する光の強度を感知する。いくつかの実施形態では、装置が、光の強度の低下を測定する。いくつかの実施形態では、色反応の測定は、排出された透析液中のデキストロースの量を示す。いくつかの実施形態では、排出された透析液中のデキストロースのレベルが、例えば、治療効果及び／又は腹膜によるデキストロースの吸収を判定するべく、新鮮な透析液中のデキストロースレベルと比較される。
【０１６１】
いくつかの実施形態の一態様は、腹膜透析治療との患者コンプライアンスを自動的に判定することに関係する。いくつかの実施形態では、患者は家で治療される。いくつかの実施形態では、治療との患者コンプライアンスが治療セッション中に測定される。いくつかの実施形態では、各治療セッション後にコンプライアンスレポートが生成され、随意的にメモリに記憶される。いくつかの実施形態では、要求時に又は特定の時間内にコンプライアンス指示が患者に送達される。いくつかの実施形態では、コンプライアンス指示は、医師又は介護者に送達される。随意的に、コンプライアンスレポートは、医師の遠隔コンピュータに伝送される。
【０１６２】
いくつかの実施形態によれば、腹膜透析装置は、交換リマインダを提供し、患者エラーを減少させ、患者カテーテルへの及び患者カテーテルからの流路を自動的に消毒することにより治療との患者のコンプライアンスを増加させる。いくつかの実施形態では、交換リマインダは、注入プロセス及び／又は排出プロセスに関するリマインダを含む。いくつかの実施形態では、日中の所定の時間内に交換処置が行われる。いくつかの実施形態では、リマインダは、装置のタイマーにより提供される。いくつかの実施形態では、例えば、医療スタッフ又は患者により、装置に所定の交換スケジュールが入力される。いくつかの実施形態では、このスケジュールに基づいて、装置は、スケジュールされた交換、及び／又は遅延した交換（事前定義される場合に）及び／又はミスした交換を患者に警告する。いくつかの実施形態では、装置は、遅延した及び／又はミスした交換に関する通信により医療スタッフに警告する。随意的に、医療スタッフに送達される警告は、患者ＩＤ並びにミスした交換情報、（例えば）Ｊｏｈｎ  Ｓｍｉｔｈ、ＩＤ、日付、１日の交換回数−遅延した及び時間を含む。随意的に、医療スタッフ又は他の要件からの要求時にさらなる情報が表示される。いくつかの実施形態では、交換サイクルをミスした場合、例えば、不従順を補償するべく、代替的な治療計画が選択される又は少なくとも１つの治療パラメータが修正される。
【０１６３】
いくつかの実施形態によれば、腹膜透析装置は、患者エラーを減少させることにより治療との患者のコンプライアンス及び安全性を増加させる。いくつかの実施形態では、装置は、正しい手順を通じて患者をガイドする。いくつかの実施形態では、患者は、例えば、プロセスの遵守をステップ毎に確認するべく、装置と対話する。いくつかの実施形態では、装置は、自動サイクル制御をアクティブ化する。いくつかの実施形態では、装置は、例えば、患者が使用を命令される透析液溶液のタイプを含む治療プロトコルをアクティブ化する。いくつかの実施形態では、異なるタイプの溶液、例えば、間違ったデキストロースレベルの溶液が用いられる場合に、装置は、警告を送達する及び／又はプロセスを終了する又はプロセスの開始を防ぐ。いくつかの実施形態では、デキストロースレベルは、分光光度計を用いることにより、又は溶液と相互作用して少なくとも１つの波長の光吸収を変化させる装置に収容された試薬を用いることにより、又はバッグ上のラベル、例えば、バーコードを読み取ることにより測定される。
【０１６４】
いくつかの実施形態によれば、腹膜透析装置は、流路を自動的に接続及び消毒する。加えて、装置は、排出プロセス、フラッシングプロセス、及び透析液充填プロセスを自動的に行うのにコントローラ及びポンプを用いる。いくつかの実施形態では、装置は、交換プロセスの進行をモニタリングする。いくつかの実施形態では、所定の交換体積が、医療スタッフにより装置メモリに入力される。いくつかの実施形態では、装置は、測定した流量に基づいて、排出された透析液の体積及び／又は注入される透析液の体積及び／又はプロセスの完了に関する残り時間を計算する。いくつかの実施形態では、装置は、患者に又は介護者にプロセスを完了するのに予想される時間及び／又は体積に関する指示を送達する、及び随意的に状態、例えば、プロセス完了のパーセンテージ及び／又は残り時間を表示する。
【０１６５】
いくつかの実施形態によれば、装置は、流路外に配置されたセンサを用いて、例えば、超音波トランジットタイム原理を用いて透析液の流れを測定する。いくつかの実施形態では、原理は、流体の流れ方向に移動する超音波パルスが加速され、一方、流れ方向とは反対方向に移動する超音波パルスは減速されることである。いくつかの実施形態では、少なくとも４つの圧電要素が流路の近くにｘパターンに配列される。いくつかの実施形態では、少なくとも１つの送信器が、透析液流路を通って流れる透析液流体を通じて一方の側部から別の側部へ所定の周波数のパルス超音波を送信する。いくつかの実施形態では、トランジットタイムの差は、平均流体速度に比例する。いくつかの実施形態では、この技術を用いると、＋／−２％又はより高い、例えば、＋／−１％のセンサ精度が達成される。代替的に、流体の流れは、流体注入中のポンプの回転をカウントすること、随意的に気泡体積を差し引くことにより測定される。
【０１６６】
いくつかの例示的な実施形態によれば、装置は、患者のカテーテルに溶液が注入される前に、注入される透析液溶液の温度を測定する。いくつかの実施形態では、測定した温度が所望の温度範囲、例えば、３７＋／−２℃内にない場合、指示が送達される及び／又は治療が終了される。いくつかの実施形態では、温度センサは、例えば、ＩＲセンサにより流体流路外に配置される。代替的に、センサは、流体流路チュービングの外壁と接触している。いくつかの実施形態では、装置は、例えば、透析液溶液の温度の閉ループ制御を可能にするべく、加熱装置と及び／又は外部温度センサと通信する。
【０１６７】
いくつかの実施形態によれば、装置は、排出された透析液の量を測定するためのスケールを備える。いくつかの実施形態では、装置は、例えば、流体流路から気泡を解放できるようにするべく、チルト機構を備える。いくつかの実施形態では、装置は、例えば、移動時の透析液バッグを保温するべく、保温コンテナを備える。
【０１６８】
いくつかの実施形態の一態様は、異なる流体間で自動的に切り換えることに関係する。いくつかの実施形態では、異なる流体バッグが、流体切換え装置を通じて患者カテーテルに接続される。いくつかの実施形態では、流体切換え装置は、バッグを患者カテーテルに接続する又は患者カテーテルから接続解除する必要なしに異なる流体バッグ間で切り換える。いくつかの実施形態では、流体切換え装置は、治療計画に従って又は既存の治療計画の修正後に異なる流体間で切り換える。いくつかの実施形態では、腹膜透析装置は、例えば、その後に用いるために、少なくとも１つの流体バッグをアクティブ化する。
【０１６９】
いくつかの実施形態では、腹膜炎の検出時に、透析液流体が、抗生物質又は抗炎症溶液と切り換えられる。代替的に、透析液バッグが、透析液及び抗生物質溶液が入っている透析液バッグと切り換えられる。いくつかの実施形態では、流体切換え装置は、腹膜機能の分析後に様々なデキストロース濃度の透析液流体間で切り換えられる。いくつかの実施形態では、流体切換え装置は、治療セッション中に透析液流体と排出される透析液の貯蔵バッグとの間で切り換えられる。いくつかの実施形態では、腹膜炎が検出され、随意的に透析液バッグが切り換えられるときに、病状及び適用される治療に基づいて少なくとも１つのプロトコルパラメータが修正される。いくつかの実施形態では、修正されるプロトコルパラメータは、治療の持続時間又は注入持続時間及び／又は一日当たりの交換回数を含む。
【０１７０】
いくつかの実施形態の一態様は、同じ側部に少なくとも２つのコネクタを有する腹膜透析装置又はシステムの、本明細書でいくつかの実施形態において使い捨てユニットとも呼ばれる、取り外し可能なユニットに関係する。いくつかの実施形態において、少なくとも２つのコネクタは、カテーテルコネクタと透析液バッグコネクタを含む。随意的に、透析液バッグコネクタはＹコネクタである。いくつかの実施形態では、２つのコネクタは、コネクタのそれぞれの近くに消毒流体を有する消毒コネクタである。いくつかの実施形態では、コネクタのそれぞれは、外部コネクタの穿通及び／又は消毒流体の放出を可能にするように形状及びサイズ設定されるホイルを備える。いくつかの実施形態では、コネクタのそれぞれは、消毒コネクタと外部コネクタとの間の流れを制御するべく流量調整器、例えば、取り外し可能なクリップを備える。
【０１７１】
腹膜透析治療をモニタリング及び／又は修正するための装置を用いることの可能な利点は、腹膜炎の早期検出、より良好なコンプライアンス、及び腹膜腔への流体取り込みに関連した流体抽出及び食事情報に基づいて予想されるさらなる流体をモニタリングする経験や知識に基づく融通性を含む。さらなる利点は、実際の測定（インライン）に基づいて、随意的に、排出された溶液中の尿素、クレアチニン、及びデキストロースレベルに基づいて治療を最適化し、より長期間にわたって腹膜機能を保護する（高める）ことを含む。装置は、例えば、腹膜炎の炎症を早期に検出すること及び／又は腹膜の機能障害を早期に検出することにより、治療効果を低下させるプロセスを検出する及び随意的に治療することを可能にする。
【０１７２】
前述のように、装置の可能な利点は、腹膜炎を早期に検出及び随意的に治療できるようにすることである。腹膜炎の治療の目標は、原因菌の根絶による炎症の迅速な解決と腹膜機能の保護を含む。腹膜炎の単独のエピソードは、長期的な腹膜機能に対して顕著な影響を有さなかったが、感染の再発又は群発は、クレアチニンの透析液／血漿比の増加と、限外濾過の低下を引き起こし、その重大さはエピソードの数と共に増加したことが実証されているので、早期検出と迅速な解決は重要である。さらに、ＰＤで時間と共に溶質移動が増加し、限外濾過は低減することが実証された。このプロセスは、腹膜炎により悪化及び加速され、関連する炎症の程度及び直近の感染回数に比例すると思われる。
【０１７３】
カテーテルが残存する重い長引くＰＤ腹膜炎は、腹膜機能不全につながることがあり、ＰＤでの技術離脱（ＨＤへ移行する）の最も一般的な要因である。本明細書で説明した腹膜透析装置を用いると、ＰＤに起因する腹膜炎は、透析液培養の結果を待つ間は経験的に治療されないが、治療中に検出する及び随意的に治療することができる。抗生物質が、感染部位に最大濃度が確実に送達される腹膜ルートを経由して優先的に送達される。しかしながら、腹腔内に投与された薬剤は体循環へ吸収されることがあることに留意しなければならない。
【０１７４】
前述のように、装置の可能な利点は、治療効率（効果）の増加にある。治療効率は、（１）患者の健康状態、他の指示の中でも特に、バイタルサイン、すなわち、脈拍、ＢＰ、及び体重、（２）血液から抽出される老廃物、すなわち、尿素、クレアチニン、（３）血液からの余分な水分の除去、に関係する。
【０１７５】
いくつかの実施形態によれば、患者は、１つ又は複数の治療サイクル中に、透析システム、例えば、ポータブル腹膜透析システム（ＰＰＤＳ）に接続される。いくつかの実施形態では、治療サイクルは、新鮮な透析液の注入、患者の腹膜腔内の透析液の滞留、及び透析液の排出、又は、透析液の排出、新鮮な透析液の注入、及び腹膜腔内の透析液の滞留を含む。代替的に、ＰＰＤＳは、滞留時間中は患者から接続解除される。いくつかの実施形態では、ＰＰＤＳが患者に接続されるときに、例えば、患者の生理的状態及び／又は治療効果をモニタリングするべく、透析液の一部が排出される。いくつかの実施形態では、滞留時間中に透析液の部分置換が行われ、例えば、腹膜内の透析液の１０％、２０％、３０％、５０％、６０％、７０％、又は任意の中間パーセンテージ、より小さいパーセンテージ、又はより大きいパーセンテージが排出され、随意的に新鮮な透析液と置換される。
【０１７６】
いくつかの実施形態によれば、透析システムは、ポータブルであり、ベルト、ハーネス、又は任意のアダプタにより患者の身体部分に固定されるように構成される。いくつかの実施形態では、透析システムは、モータ、例えば、電気モータと、バッテリ、随意的に、ロータに電気的に接続される再充電可能なバッテリとを含む、耐久ユニットを備える。いくつかの実施形態では、耐久ユニットは、モータに及びバッテリに電気的に接続される制御回路を備える。いくつかの実施形態では、制御ユニットは、バッテリの電力レベルに従ってモータの作動を制御する。いくつかの実施形態では、耐久ユニットは、少なくとも１つの人間が検出可能な指示、例えば、光指示及び／又は音指示による警告信号を提供するように構成された、制御回路に接続されるインターフェースを備える。いくつかの実施形態では、バッテリの電力レベルが所定の値よりも低いときに、制御回路が、警告信号、例えば、バッテリを充電すること又はバッテリを交換することを示す信号を生成するべくインターフェースに信号を発する。代替的に又は加えて、バッテリの電力レベルが所定の値よりも低いときに、制御回路はモータの動作を止める。
【０１７７】
いくつかの実施形態によれば、制御回路は、例えば、バッテリの電力レベルが所定の値よりも低いときにモータを省電力モードで作動する。いくつかの実施形態では、制御回路は、随意的にモータを省電力モードで作動するときに、モータの少なくとも１つの作動パラメータ、例えば、回転速度及び／又は回転持続時間を修正する。いくつかの実施形態では、制御回路は、バッテリの電力レベルが所定の値よりも低いときに、モータの作動を防ぐ。
【０１７８】
いくつかの実施形態によれば、バッテリが完全に充電されるときのバッテリの電力レベルは、少なくとも１つの透析治療セッション、例えば、２つの治療セッション、３つの治療セッション、４つの治療セッション、又は任意のより小さい数、中間の数、又はより大きい数の治療セッションのために十分なものである。いくつかの実施形態では、治療セッションは、腹膜腔から透析液を少なくとも部分的に排出すること及び腹膜腔に新鮮な透析液を少なくとも部分的に注入することを含む。代替的に、治療セッションは、腹膜腔から透析液を少なくとも部分的に排出すること、腹膜腔に新鮮な透析液を少なくとも部分的に注入すること、及び腹膜腔内の透析液の滞留時間を含む。
【０１７９】
随意的に、透析システムは、ヒータ、例えば、透析液ヒータを含まない。いくつかの実施形態では、透析システムは、例えば、バッテリ電力を節約するために及び／又は透析システムの総重量を減らすために、ヒータを含まない。
【０１８０】
いくつかの実施形態によれば、透析システムの重量は、５００ｇｒ〜５ｋｇ（５０００ｇｒ）の範囲内、例えば、１ｋｇ、１．５ｋｇ、２ｋｇ、２．５ｋｇ、又は任意の中間重量、より小さい重量、又はより大きい重量である。随意的に、透析システムの重量は、４０００ｇｒを下回る。いくつかの実施形態では、装置の長さは、１００ｍｍ〜４５０ｍｍの範囲内、例えば、１００ｍｍ、１５０ｍｍ、１７０ｍｍ、２００ｍｍ、又は任意の中間値、より小さい値、又はより大きい値である。いくつかの実施形態では、装置の幅は、８０ｍｍ〜３００ｍｍの範囲内、例えば、１００ｍｍ、１３０ｍｍ、１５０ｍｍ、又は任意の中間値、より小さい値、又はより大きい値である。
【０１８１】
いくつかの実施形態によれば、透析システムは、システムを患者の少なくとも１つの身体部分に、例えば、腰、脚、肩、又は腿に固定するように構成された少なくとも１つの接続部材、例えば、ハーネス、ベルト、又はアダプタを備える。
【０１８２】
本発明の少なくとも１つの実施形態を詳細に説明する前に、本発明は、以下の説明に記載された及び／又は図面及び／又は実施例に示されたコンポーネントの構成及び配列及び／又は方法の詳細へのその適用に必ずしも限定されないことが理解される。本発明は、他の実施形態が可能である又は種々の方法で実施又は実行することが可能である。
【０１８３】
例示的な装置
ここで、本発明のいくつかの実施形態に係る、腹膜透析治療のためのシステム又は装置を説明する図１への参照を行う。
【０１８４】
いくつかの例示的な実施形態によれば、システム１００は、装置１０２、透析液バッグ１２４又は排液バッグ、及び患者１３０に接続される患者カテーテルを備える。いくつかの実施形態では、装置１０２は、随意的にバッグと患者１３０との間に消毒される流路を形成するように、透析液バッグ１２４に及び／又は排液バッグに接続可能である。
【０１８５】
いくつかの例示的な実施形態によれば、装置１０２は、コントローラ１０４と、随意的にポンプを備える流体処理モジュール１１２とを備える。いくつかの実施形態では、コントローラ１０４は、例えば、透析液を腹膜腔に注入するべく流体処理モジュールが作動されるときの又は腹膜腔を排出するべく流体処理モジュールが作動されるときの、流体処理モジュールの動作を制御する。いくつかの実施形態では、コントローラ１０４は、装置１０２への、透析液バッグ１２４及び／又は排液バッグの接続を制御する。加えて、コントローラ１０４は、装置１０２への患者カテーテルの接続を制御する。
【０１８６】
いくつかの例示的な実施形態によれば、コントローラ１０４は、流路に接続された異なるコンポーネントの自動接続及び消毒をモニタリングする及び制御する。いくつかの実施形態では、コンポーネントが流路に接続されるとき及び／又は流路が消毒されるときに指示、例えば、人間が検出可能な指示を送達する。代替的に又は加えて、コントローラは、指示をメモリに記憶する。
【０１８７】
いくつかの例示的な実施形態によれば、コントローラ１０４は、装置１０２の異なるセンサ、例えば、流体力学センサ１１６により流路内の流れをモニタリングする。いくつかの実施形態では、流体力学センサは、例えば、流路を通る流体パディングの体積をモニタリングするための少なくとも１つの体積センサを備える。加えて、流体力学センサは、例えば、流路を通過する流体の温度をモニタリングする及び制御するための少なくとも１つの温度制御センサを含む。
【０１８８】
いくつかの例示的な実施形態によれば、装置１０２は、例えば、臨床パラメータの変化を感知するための少なくとも１つの臨床センサ１１４を備える。いくつかの実施形態では、少なくとも１つの臨床センサは、例えば、クレアチニンセンサ及び／又は尿素センサを用いて、排出された透析液の化学的内容物及び／又は生物学的内容物を感知する。いくつかの実施形態では、少なくとも１つの臨床センサ１１４は、例えば、排出された透析液中のデキストロースレベルを感知するためのデキストロースセンサ１３２を備える。随意的に、デキストロースセンサ１３２は、注入される透析液中のデキストロースレベルを感知する。いくつかの実施形態では、被検者の臨床状態は、測定時間及び／又は被検者の体質量に加えて、排出された透析液中のデキストロースレベルと注入される透析液中のデキストロースレベルとの比較に基づいている。
【０１８９】
いくつかの例示的な実施形態によれば、装置１０２は、尿素レベルの検出のための少なくとも１つのセンサ、例えば、尿素センサ１３４を備える。いくつかの実施形態では、患者の臨床状態は、測定時間及び／又は被検者の体質量と組み合わせて、測定した尿素レベルに基づいて判定される。
【０１９０】
いくつかの例示的な実施形態によれば、装置１０２は、透析液中のグルコースレベルを測定するように構成された少なくとも１つのグルコースセンサ１３２を備える。いくつかの実施形態では、測定時間及び／又は患者の体質量に加えて、排出された透析液中のグルコースのレベルと新鮮な透析液中のグルコースレベルとの比較に基づいて患者の臨床状態が判定される。代替的に、随意的に注入される透析液又は記憶値と比較される、排出された透析液中のグルコースレベルは、透析効果を示す及び／又は腹膜の状態を示す。いくつかの実施形態では、装置１０２は、透析液中のクレアチニンレベルを検出するための少なくとも１つのセンサを備える。いくつかの実施形態では、随意的に新鮮な透析液中のクレアチニンレベルと比較される、排出された透析液中のクレアチニンのレベルは、被検者の臨床状態を示す。代替的に、クレアチニンレベルは、透析効果を示す及び／又は腹膜の状態を示す。いくつかの実施形態では、臨床センサ１１４は、治療セッション中に、例えば、透析液の注入及び／又は排出中に作動される。
【０１９１】
いくつかの例示的な実施形態によれば、コントローラは、装置１０２の近傍の患者に又は介護者に指示及び／又は警告を送達する。代替的に又は加えて、コントローラは、遠隔コンピュータ、例えば、医師のコンピュータに指示及び警告を送信する。いくつかの実施形態では、医師は、例えば、少なくとも１つの治療パラメータを修正するべく又は異なる治療計画を選択するべく、装置１０２に情報を送信する。
【０１９２】
いくつかの例示的な実施形態によれば、装置１０２は、治療ステップを行うべく時間リマインダ及び／又は指示を患者に送達する。いくつかの実施形態では、装置のユーザ、例えば、患者又は介護者は、随意的に少なくとも１つのボタン、例えば、作動ボタン又は治療終了ボタンを備えるユーザインターフェースを通じてユーザ入力を提供する。いくつかの実施形態では、ユーザから受信した入力及びさらなるユーザデータが装置１０２に記憶される。いくつかの実施形態では、記憶されたユーザデータは、例えば、治療プロセスの全体を通してユーザの状態の遠隔モニタリングを可能にするべく、医師に送信される。加えて、装置１０２の作動ログファイルも記憶され、随意的に、治療セッション後に患者コンプライアンスレポートを生成するのに用いられる。
【０１９３】
いくつかの例示的な実施形態によれば、装置１０２は、コントローラ１０４、及び／又は流体処理モジュール１１２に随意的に接続される電気ポンプの作動を可能にするべく、バッテリ１０６、例えば、再充電可能なバッテリをさらに備える。代替的に、バッテリは、随意的に流体処理モジュール１１２に接続される電気モータに電気的に接続される。いくつかの実施形態では、装置１０２は、例えば、外部電源によるバッテリの充電を可能にするべく、バッテリに電気的に接続される充電ソケット又はプラグを備える。代替的に、バッテリは、交換式のバッテリである。
【０１９４】
いくつかの例示的な実施形態によれば、装置１０２は、コンピュータサーバ、例えば、サーバ１０５に接続される。いくつかの実施形態では、サーバ１０５は、治療プロトコル及び／又は装置作動ログファイルを記憶する。いくつかの実施形態では、コントローラ１０４は、装置の動作に関係したパラメータ及び／又は患者の臨床状態に関係したパラメータの測定値をサーバ１０５に書き込む。随意的に、医師は、例えば、装置のログファイルを受信するべく及び／又は治療命令又は修正を送達するべく、サーバ１０５と通信する。いくつかの実施形態では、サーバ１０５は、例えば、新しい透析液バッグを供給するべく、情報を、介護者、例えば、看護師又は倉庫に送信する。
【０１９５】
いくつかの例示的な実施形態によれば、装置１０２は、例えば、介護者に患者の臨床情報及び／又は治療に関係した他の情報を提供するべく、介護者１０３と通信する。いくつかの実施形態では、装置１０２は、医師１０９と通信する。いくつかの実施形態では、装置１０２は、実際の治療が事前に決定された治療とは異なる場合に医師１０９に警告を送達する。代替的に又は加えて、装置１０２は、治療の所望の結果に達していない場合に医師１０９に警告を送達する。いくつかの実施形態では、医師１０９は、例えば、命令を送達するべく及び／又は患者からより多くの情報を受信するべく、装置１０２を通じて患者と通信する。
【０１９６】
いくつかの例示的な実施形態によれば、装置１０２は、バッグ切換え器１０７に接続される又は備える。いくつかの実施形態では、装置１０２、随意的に、取り外し可能な及び／又はポータブル装置は、腹膜透析治療、例えば、交換プロセス中にバッグ切換え器１０７に取り付けられる。いくつかの実施形態では、少なくとも１つの透析液バッグ、例えば、バッグ１２４が、バッグ切換え器１０７に接続される。いくつかの実施形態では、バッグ切換え器１０７は、随意的にバッグのバーコード又は異なるＩＤを用いて、正しいバッグが接続されることを検証する。いくつかの実施形態では、バッグ切換え器１０７は、バッグの温度をモニタリングし、随意的に加熱機構を用いてバッグを加熱する。いくつかの実施形態では、交換セッションが終わるときに、取り外し可能な装置がバッグ切換え器１０７から接続解除される。
【０１９７】
いくつかの例示的な実施形態によれば、装置は、加温器、例えば、加温器１１１を備える。代替的に、加温器は、システム１００の一部である及び／又はバッグ切換え器１０７の一部である。いくつかの実施形態では、加温器は、透析液バッグの温度をモニタリングする及び／又は制御するのに用いられる。いくつかの実施形態では、コントローラ１０４は、加温器１１１から又は透析液の温度に関する温度センサから信号を受信する。いくつかの実施形態では、コントローラ１０４は、例えば、透析液バッグを加熱することにより透析液流体を加熱するべく加温器１１１に信号を発する。代替的に、コントローラ１０４は、透析液バッグを所望の透析液温度のバッグに切り換えるべくバッグ切換え器１０７に信号を発する。
【０１９８】
いくつかの例示的な実施形態によれば、装置１０２は、ハンドヘルド装置１２３、例えば、セルラーフォンと通信する。いくつかの実施形態では、装置１０２は、ハンドヘルド装置１２３に警告及び／又は指示及び／又は情報を送信する。随意的に、装置１０２は、装置にインストールされたアプリケーションプログラムを用いてハンドヘルド装置１２３と通信する。いくつかの実施形態では、装置１０２は、治療の開始の前に時間警告又は任意の時間警告をハンドヘルド装置１２３に送達する。いくつかの実施形態では、ハンドヘルド装置は、随意的にアプリケーションプログラムを用いて、装置１０２の作動を少なくとも部分的に制御する。いくつかの実施形態では、装置１０２は、ハンドヘルド装置１２３、例えば、スマートウォッチ又は任意の他の装着可能センサに接続された装置から情報を受信する。
【０１９９】
ここで、本発明のいくつかの実施形態に係る、腹膜透析治療をモニタリング及び修正するための装置のコンポーネントを示す図２への参照を行う。
【０２００】
いくつかの例示的な実施形態によれば、装置２０２は、随意的にコントローラ１０４として機能する、コントローラ２０４を備える。いくつかの実施形態では、コントローラ２０４は、装置２０２を通る流体の流れをモニタリングする及び／又は制御する流体制御部２０８に接続される。いくつかの実施形態では、流体制御部２０８は、患者カテーテルにつながる流路への異なるバッグ、例えば、透析液バッグ又は排液バッグの接続をモニタリングする。随意的に、流体制御部２０８は、流路への患者カテーテルの接続をモニタリングする。いくつかの実施形態では、流体制御部は、患者カテーテルとの間の流路の消毒をモニタリングする及び／又は制御する。
【０２０１】
いくつかの例示的な実施形態によれば、装置２０２は、コントローラ２０４に及び／又は流体制御部２０８に接続される少なくとも１つのセンサ２０６を備える。いくつかの実施形態では、センサ２０６は、流路内の流体の流れパラメータ、例えば、流体の温度、圧力、及び／又は選択された時間内に流路を通過する流体の体積をモニタリングする。代替的に、センサ２０６は、排出プロセス中に排出された透析液の内容物を感知する。いくつかの実施形態では、センサ２０６は、排出された透析液の化学内容物及び／又はミネラル内容物及び／又は生物学的内容物、例えば、クレアチニンレベル、デキストロースレベル、及び／又は尿素レベルを感知する。
【０２０２】
いくつかの例示的な実施形態によれば、センサ２０６は、炎症プロセスに関連する少なくとも１つのパラメータを感知する。いくつかの実施形態では、センサ２０６は、排出された透析液の濁度レベルを感知する。いくつかの実施形態では、濁度レベルは、排出された透析液及び腹膜腔内の細菌レベル及び炎症レベルの指標である。代替的に又は加えて、センサ２０６は、少なくとも１つの生物学的パラメータ、例えば、好中球のような白血球のレベル及び／又は炎症促進性サイトカインのレベルを感知する。
【０２０３】
いくつかの例示的な実施形態によれば、少なくとも１つのセンサ、例えば、センサ２０６は、１つ又は複数の光学パラメータ、例えば、新鮮な透析液及び／又は排出された透析液を通過する光の光吸収及び／又は光散乱を測定するための光学センサを備える。いくつかの実施形態では、少なくとも１つの光学センサは、５００〜６５０ｎｍの範囲内、例えば、５００〜６００ｎｍの範囲内、５５０〜６２０ｎｍの範囲内、５３０〜６３０ｎｍの範囲内、又は任意の中間波長範囲内、より小さい波長範囲内、又はより大きい波長範囲内の１つ又は複数の波長の光吸収及び／又は光散乱を測定するように構成される。加えて又は代替的に、少なくとも１つの付加的なセンサは、少なくとも１つの光学パラメータ、例えば、１５０〜３５０ｎｍの波長範囲内、例えば、１５０〜２５０ｎｍ、２００〜３００ｎｍ、２５０〜３５０ｎｍ、又は任意の中間波長範囲内、より小さい波長範囲内、又はより大きい波長範囲内の１つ又は複数の波長の新鮮な透析液及び／又は排出された透析液を通過する光の吸収及び／又は散乱を測定する。いくつかの実施形態では、少なくとも１つのセンサは、可視光スペクトル内の吸収及び／又は散乱を測定するためのセンサを含む。いくつかの実施形態では、少なくとも２つのセンサの組み合わせが、例えば、白血球のレベルを判定するために及び／又は腹膜炎を検出するために用いられる。いくつかの実施形態では、光吸収及び／又は光散乱を測定するように構成された少なくとも１つのセンサは、透析液流体中の気泡を検出するため及び／又は流体の品質及び／又は流速を判定するために用いられる。
【０２０４】
いくつかの例示的な実施形態によれば、コントローラは、有線接続又は無線接続を介して少なくとも１つの外部センサ２１８に接続される。いくつかの実施形態では、外部センサ２１８は、患者の少なくとも１つの臨床パラメータ、例えば、血圧、体温、心拍数、又は患者の他の臨床パラメータを測定する。いくつかの実施形態では、外部センサ２１８は、装着可能センサ、例えば、患者の手首に接続されるセンサである。いくつかの実施形態では、センサ２０６は、外部センサ２１８と同様の患者の臨床パラメータを測定するように構成される。
【０２０５】
いくつかの例示的な実施形態によれば、コントローラ２０４は、例えば、患者又は介護者から入力を受信するべく、インターフェース２１４に接続される。いくつかの実施形態では、インターフェース２１４は、少なくとも１つのボタン、例えば、作動ボタン又は治療終了ボタンを備える。いくつかの実施形態では、装置２０２は、インターフェース２１４を用いて装置の近傍に存在する患者に及び／又は介護者に指示及び警告を送達する。いくつかの実施形態では、インターフェース２１４は、人間が検出可能な指示、例えば、光指示を送達する。いくつかの実施形態では、インターフェースは、例えば患者に情報を視覚的に送達するべく、ディスプレイ２１６を備える。いくつかの実施形態では、インターフェース２１４により送達される指示及び／又はデータは、治療に関連するリマインダ、治療に関連する命令、及び警告、例えば、安全性警告を含む。
【０２０６】
いくつかの例示的な実施形態によれば、装置２０２は、例えば、遠隔装置との間で情報を送受信するべく、通信モジュール２１０を備える。いくつかの実施形態では、通信モジュール２１０は、無線受信器及び無線送信器を備える。いくつかの実施形態では、通信モジュール２１０は、指示、警告、及び治療に関連する情報を遠隔コンピュータ又は遠隔ハンドヘルド装置に無線で送信する。いくつかの実施形態では、通信モジュールは、異なる装置、例えば、遠隔コンピュータ、随意的に患者に取り付けられた少なくとも１つのセンサ、又は遠隔ハンドヘルド装置からの無線送信を受信する。いくつかの実施形態では、通信モジュール２１０は、Ｗｉ−Ｆｉ信号、赤外線信号、及び／又はＢｌｕｅｔｏｏｔｈ（登録商標）信号を送受信するように構成される。
【０２０７】
いくつかの例示的な実施形態によれば、装置２０２は、電源２２０、例えば、電力供給部を備える。いくつかの実施形態では、電源２２０は、少なくとも１つの再充電可能なバッテリ、例えば、装置２０２から随意的に取り外し可能なリチウムイオンバッテリを備える。いくつかの実施形態では、装置２０２は、例えば、バッテリを充電するべく及び／又はベースユニットの内部のメモリストレージから情報をダウンロード又はアップロードするべく、治療セッション間にベースユニットに接続される又はクレードル内に配置される。いくつかの実施形態では、装置２０２は、例えば、外部電源によるバッテリの充電を可能にするべく、充電ソケット又は充電プラグを備える。
【０２０８】
いくつかの例示的な実施形態によれば、装置２０２は、治療計画、患者に関連する情報、装置のログファイル、又は患者、治療、及び／又は装置に関係した任意の他の情報を記憶するためのメモリ２１２を備える。いくつかの実施形態では、コントローラ２０４は、治療セッション中に及び／又は治療セッション間に情報をメモリ２１２に書き込む又はメモリ２１２から情報を読み出す。
【０２０９】
治療セッション中に治療を修正するための例示的なプロセス
いくつかの例示的な実施形態によれば、腹膜透析治療は、治療セッション中に、例えば、腹膜腔への透析液の注入中に又は透析液の排出中に修正される。いくつかの実施形態では、治療は、治療セッション中の測定及び／又は治療セッション中に受信した入力に従って修正される。治療セッション中に治療を修正することの可能な利点は、例えば、より個別化された治療を可能にするべく、治療セッション自体の間に、事前に決定された治療を患者の臨床状態に合わせることができることである。ここで、本発明のいくつかの実施形態に係る、治療セッション中に治療を修正するためのプロセスを示す図３への参照を行う。いくつかの実施形態では、治療は、例えば、腹膜腔内の流体を新しくするのに用いられる腹膜透析交換サイクル中に修正される。いくつかの実施形態では、治療は、腹膜腔内の透析液の滞留時間中に修正される。いくつかの実施形態では、腹膜透析濾過プロセスが透析液の滞留時間中に行われ、血液から老廃物及び余分な水分が抽出される。
【０２１０】
いくつかの例示的な実施形態によれば、３０２で、腹膜透析治療が開始される。いくつかの実施形態では、治療は、事前に決定された治療、例えば、患者の以前の臨床状態に基づいて医師により選択された治療である。いくつかの実施形態では、３０２で、透析液注入プロセス又は透析液排出プロセスが開始される。
【０２１１】
いくつかの例示的な実施形態によれば、治療セッション中にステップ３０４で異なるパラメータが測定される。いくつかの実施形態では、パラメータは、腹膜透析装置、例えば、装置２０２により測定される。いくつかの実施形態では、装置は、３０４で、治療に関係したパラメータ、例えば、流体の流れの持続時間、流体圧力、及び／又は流体体積を測定する。随意的に、装置は、流体の内容物、例えば、流体の化学内容物、ミネラル内容物、及び／又は生物学的内容物を測定する。代替的に又は加えて、装置は、患者の臨床パラメータ、例えば、心拍数、体温、血圧、体重、又は治療に関連した任意の他の臨床パラメータを測定する。
【０２１２】
いくつかの例示的な実施形態によれば、３０６で、入力が受信される。いくつかの実施形態では、入力は、例えば、ユーザが現在の治療セッションを終了することを望むとき及び／又は治療セッション中にユーザの具合が良くないときにユーザから受信される入力を含む。代替的に又は加えて、３０６で受信される入力は、医師又は遠隔の専門家からの入力を含む。
【０２１３】
いくつかの例示的な実施形態によれば、３０８で、治療が修正される。いくつかの実施形態では、治療は、３０４で測定したパラメータに基づいて及び／又は３０６で受信した入力に基づいて修正される。いくつかの実施形態では、治療は、治療パラメータを修正することにより又は異なる治療計画を選択することにより修正される。いくつかの実施形態では、事前に決定された治療である治療が、患者の現在の臨床状態に忠実に修正される。代替的に又は加えて、事前に決定された治療は、現在の治療状態に適応するように修正される。いくつかの実施形態では、３０８で治療が修正された後で、３０２で修正された治療が開始される。
【０２１４】
治療セッション間に治療を修正するための例示的なプロセス
いくつかの例示的な実施形態によれば、腹膜透析治療は、治療セッション間に、例えば、腹膜腔への透析液の注入と透析液の排出との間に修正される。代替的に又は加えて、治療は、注入及び排出のサイクル間に修正される。いくつかの実施形態では、治療は、治療セッション間の測定及び／又は治療セッション間に受信した入力に従って修正される。治療セッション間に治療を修正することの可能な利点は、例えば、より個別化された治療を可能にするべく、実際の治療中に、事前に決定された治療を患者の臨床状態に合わせることができることである。ここで、本発明のいくつかの実施形態に係る、治療セッション間に治療を修正するためのプロセスを示す図４への参照を行う。
【０２１５】
いくつかの例示的な実施形態によれば、４０２で、腹膜透析治療が決定される。いくつかの実施形態では、治療及び／又は治療パラメータは、治療前検査中に患者の臨床状態に基づいて決定される。
【０２１６】
いくつかの例示的な実施形態によれば、事前に決定された治療パラメータに従って、４０４で、患者が治療される。いくつかの実施形態では、４０４で、腹膜腔に透析液が注入される。代替的に又は加えて、４０４で、透析液が排出される。
【０２１７】
いくつかの例示的な実施形態によれば、治療が終わるときに、４０６で、パラメータが測定される。いくつかの実施形態では、パラメータは、腹膜透析装置、例えば、装置２０２により測定される。いくつかの実施形態では、装置は、４０６で、治療に関係したパラメータ、例えば、流体の流れの持続時間、流体圧力、及び／又は流体体積を測定する。随意的に、装置は、流体の内容物、例えば、流体の化学内容物、ミネラル内容物、及び／又は生物学的内容物を測定する。代替的に又は加えて、装置は、患者の臨床パラメータ、例えば、心拍数、体温、血圧、体重、又は治療に関連した任意の他の臨床パラメータを測定する。
【０２１８】
いくつかの例示的な実施形態によれば、４０８で、入力が受信される。いくつかの実施形態では、入力は、例えば、ユーザが次の治療セッション又は他の治療に関連するイベントのスケジュールを変更することを望むときに及び／又は治療セッション後にユーザの具合が良くないときに、治療後にユーザから受信される入力を含む。代替的に又は加えて、４０６で受信される入力は、医師又は遠隔の専門家からの入力を含む。いくつかの実施形態では、医師又は専門家は、患者の治療コンプライアンス又は４０６でのパラメータ測定に基づいて入力を送信する。
【０２１９】
いくつかの例示的な実施形態によれば、４１０で、治療が修正される。いくつかの実施形態では、治療は、４０６での測定に基づいて及び／又は４０８で受信した入力に基づいて修正される。いくつかの実施形態では、少なくとも１つの治療セッション、例えば、透析液注入セッション又は透析液排出セッションが修正される。いくつかの実施形態では、測定後に治療セッションが修正される。代替的に、代替的な治療又は異なる治療計画が選択される。いくつかの実施形態では、４０４で、修正された治療が開始される。
【０２２０】
治療変動に起因して治療を修正するための例示的なプロセス
いくつかの例示的な実施形態によれば、腹膜透析装置、例えば、装置２０２は、腹膜透析治療をモニタリングする及び制御する。いくつかの実施形態では、事前に決定された治療パラメータは、治療中に装置により自動的に修正される。いくつかの実施形態では、事前に決定された治療パラメータは、実際の治療と事前に決定された治療との変動が識別されるときに修正される。ここで、治療変動に起因して治療を修正するためのプロセスを示す図５への参照を行う。いくつかの実施形態では、事前に決定された治療は、例えば、腹膜腔内の流体を新しくするのに用いられる腹膜透析交換サイクルで検出された変動に基づいて修正される。いくつかの実施形態では、事前に決定された治療は、腹膜腔内の透析液の滞留時間中に検出された変動に基づいて修正される。本明細書で説明されるように、腹膜透析濾過プロセスが透析液の滞留時間中に行われ、血液から老廃物及び余分な水分が抽出される。
【０２２１】
いくつかの例示的な実施形態によれば、５０２で、治療計画が決定される。いくつかの実施形態では、治療パラメータ、例えば、透析液注入の持続時間及び／又は透析液排出の持続時間が決定される。加えて、注入される透析液の体積及び透析液内容物が決定される。いくつかの実施形態では、５０２で、透析液注入間の時間間隔及び透析液も決定される。
【０２２２】
いくつかの例示的な実施形態によれば、５０４で、治療が開始される。いくつかの実施形態では、５０２で、決定された治療パラメータに従って治療が開始される。
【０２２３】
いくつかの例示的な実施形態によれば、５０６で、治療変動が識別される。いくつかの実施形態では、腹膜透析装置、例えば、装置２０２は、事前に決定された治療と実際の治療との変動を識別する。
【０２２４】
いくつかの例示的な実施形態によれば、５０８で、指示が送達される。いくつかの実施形態では、５０６で治療変動が識別される場合に、５０８で指示が送達される。いくつかの実施形態では、指示は、装置のユーザに、例えば、患者に又は介護者に送達される。代替的に、指示は、医師又は専門家に送達される。
【０２２５】
いくつかの例示的な実施形態によれば、５１０で、治療が修正される。いくつかの実施形態では、５１０で、事前に決定された治療及び／又は事前に決定された治療パラメータが修正される。いくつかの実施形態では、治療のタイミングパラメータ、例えば、透析液注入又は透析液排出の持続時間が修正される。いくつかの実施形態では、注入される透析液及び／又は排出される透析液の体積が修正される。いくつかの実施形態では、治療及び／又は治療パラメータは、装置により自動的に又は半自動的に修正される。
【０２２６】
いくつかの例示的な実施形態によれば、５１２で、代替的な治療計画が選択される。いくつかの実施形態では、代替的な治療計画は、装置のメモリ、例えば、メモリ２１２に記憶される。いくつかの実施形態では、代替的な治療計画は、装置のメモリ、例えば、メモリ２１２に記憶されたアルゴリズムを用いて選択される。いくつかの実施形態では、５１０で治療が修正されると、５０４で、修正された治療が開始される。いくつかの実施形態では、５１２で、代替的な治療計画が選択されると、５０４で、代替的な治療計画が開始される。
【０２２７】
治療コンプライアンスをモニタリングするための例示的なプロセス
いくつかの例示的な実施形態によれば、例えば、より良好な疾病管理及び治療管理を可能にするべく、腹膜透析治療への患者のコンプライアンスがモニタリングされる。いくつかの実施形態では、治療コンプライアンスは、腹膜透析装置、例えば、装置２０２によりモニタリングされる。ここで、本発明のいくつかの実施形態に係る治療コンプライアンスをモニタリングするためのプロセスを示す図６への参照を行う。
【０２２８】
いくつかの例示的な実施形態によれば、治療は、前述のように５０４で開始された後で、６０２で、モニタリングされる。いくつかの実施形態では、治療は、腹膜透析装置、例えば、装置２０２によりモニタリングされる。いくつかの実施形態では、装置は、少なくとも１つのセンサ、例えば、流体の流れに関係したセンサ又は臨床センサを用いて治療をモニタリングする。代替的に又は加えて、装置は、装置の少なくとも１つのコネクタを通じた患者のカテーテルへの透析液バッグ及び／又は排液バッグの接続をモニタリングする。いくつかの実施形態では、装置は、患者のカテーテルにつながる消毒された流路の形成をモニタリングする。いくつかの実施形態では、装置は、ユーザと装置の対話、例えば、装置の作動、装置の作動及び／又は終了をモニタリングする。いくつかの実施形態では、装置は、装置からの透析液バッグ及び／又は排液バッグ及び／又は排出カテーテルの接続解除をモニタリングする。随意的に、装置は、流体処理モジュール１１２への接続及び接続解除をモニタリングする。
【０２２９】
いくつかの例示的な実施形態によれば、装置は、治療の持続時間及び／又は各治療セッションの持続時間及び連続する治療セッション間のインターバルをモニタリングする。いくつかの実施形態では、装置は、モニタリングしたデータのうちの少なくともいくつかを装置のメモリ、例えば、メモリ２１２に記録及び記憶する。
【０２３０】
いくつかの例示的な実施形態によれば、装置は、事前に決定された治療パラメータからの任意の変動をモニタリングし、６０４で、そのような変動が検出される場合に記録する。随意的に、変動が検出される場合、装置は、ユーザに及び／又は医師に指示及び／又はレポートを送達する。
【０２３１】
いくつかの例示的な実施形態によれば、６０６で、治療、例えば、治療セッションを終了する。いくつかの実施形態では、６０８で、コンプライアンスレポートが生成される。いくつかの実施形態では、コンプライアンスレポートは、治療中にモニタリングしたイベントのうちの少なくともいくつかの要約を含む。代替的に又は加えて、コンプライアンスレポートは、治療の前及び／又は治療の後にモニタリングしたイベント、例えば、患者への治療指示の送達及びこれらの指示への患者の応答を含む。
【０２３２】
いくつかの例示的な実施形態によれば、６１０で、コンプライアンスレポートが記憶される。いくつかの実施形態では、コンプライアンスレポートは、装置のメモリに記憶される。代替的に、コンプライアンスレポートは、外部メモリに、例えば、取り外し可能なメモリに又はインターネットネットワーク遠隔メモリに記憶される。
【０２３３】
いくつかの例示的な実施形態によれば、６１２で、コンプライアンスレポートが送達される。いくつかの実施形態では、コンプライアンスレポートは、患者に又は介護者に送達される。代替的に又は加えて、コンプライアンスレポートは、医師に又は専門家に送達される。いくつかの実施形態では、コンプライアンスレポートは、スケジュールされた更新中に送達される。代替的に、コンプライアンスレポートは、要求時に送達される。
【０２３４】
いくつかの例示的な実施形態によれば、６１４で、治療及び／又は少なくとも１つの治療パラメータが修正される。いくつかの実施形態では、患者が治療及び／又は治療パラメータに忠実ではないときに治療が修正される。いくつかの実施形態では、コンプライアンスレポートに従って、送達された治療又は治療セッションが事前に決定された治療とは異なる場合に治療が修正される。いくつかの実施形態では、５０４で、修正された治療が開始される。
【０２３５】
排出された透析液内容物に基づいて臨床状態を判定するための例示的なプロセス
いくつかの例示的な実施形態によれば、透析液は、定められた滞留時間後に被検者の腹膜から排出される。いくつかの実施形態では、排出された透析液内容物は、例えば、被検者の臨床状態を判定するべく測定され、随意的に分析される。いくつかの実施形態では、排出された透析液内容物、被検者の体質量、及び随意的に、測定時間の分析に基づいて被検者の臨床状態が判定される。
【０２３６】
ここで、本発明のいくつかの例示的な実施形態に係る、排出された透析液に基づいて被検者の臨床状態を判定するための一般的なプロセスを示す図７Ａへの参照を行う。
【０２３７】
いくつかの例示的な実施形態によれば、７０１で、透析液が排出される。いくつかの実施形態では、透析液は、随意的に所望の滞留時間後に、被検者の腹膜腔から排出される。いくつかの実施形態では、透析液は、腹膜からカテーテルを通って腹膜透析システムのチュービングへ排出される。
【０２３８】
いくつかの例示的な実施形態によれば、７０３で、排出された透析液内容物が分析される。いくつかの実施形態では、排出された透析液の内容物は、少なくとも１つのセンサ、例えば、排出された透析液の内容物に関係した少なくとも１つのパラメータを測定することができる光学センサ、電気センサ、又は任意の他のセンサにより測定される。いくつかの実施形態では、排出された透析液の内容物は、所定の時間中に測定される。いくつかの実施形態では、少なくとも１つのパラメータは、排出された透析液の濁度レベル、選択された波長での光吸収及び／又は光散乱、排出された透析液中の白血球数、サイトカインのレベル、金属イオンのレベル、化学化合物又は生物学的化合物のレベル、例えば、デキストロース又は尿素、及び／又は生物活性化合物のレベルを含む。いくつかの実施形態では、測定値は、透析システムのコントローラにより分析される。
【０２３９】
いくつかの例示的な実施形態によれば、７０５で、被検者の体腔に、例えば、腹膜に新鮮な透析液が注入される。いくつかの実施形態では、新鮮な透析液は、新鮮な透析液をカテーテルにより腹膜に注入する腹膜透析システムに、新鮮な透析液バッグを接続することにより注入される。
【０２４０】
いくつかの例示的な実施形態によれば、７０７で、新鮮な透析液内容物が分析される。いくつかの実施形態では、腹膜透析チュービングのチュービングを通過する新鮮な透析液内容物が分析される。代替的に又は加えて、新鮮な透析液バッグ内の新鮮な透析液が分析される。いくつかの実施形態では、新鮮な透析液の内容物に関係したデータのうちの少なくともいくつかが、ウェブサイト、クラウドメモリストレージ、リモートサーバから透析システムのメモリにダウンロードされる。随意的に、データは、新鮮な透析液バッグ、バッグパッケージ、又は新鮮な透析液バッグに付属する何らかのドキュメント上にプリントされたコード、例えば、バーコード、ＱＲコード（登録商標）、又は任意の他のコードをスキャンすることによりメモリにダウンロードされる。
【０２４１】
いくつかの例示的な実施形態によれば、新鮮な透析液の内容物は、少なくとも１つのセンサ、例えば、新鮮な透析液の内容物に関係した少なくとも１つのパラメータを測定することができる光学センサ、電気センサ、又は任意の他のセンサにより測定される。いくつかの実施形態では、少なくとも１つのパラメータは、透析液溶液の濁度、選択された波長での光吸収及び／又は光散乱、白血球数、サイトカインのレベル、金属イオンのレベル、化学化合物又は生物学的化合物、例えば、デキストロース又は尿素のレベル、及び／又は生物活性化合物のレベルを含む。
【０２４２】
いくつかの例示的な実施形態によれば、７０９で、排出された透析液内容物の分析結果及び／又は測定値が、透析システムのメモリに記憶された値又は指示と比較される。いくつかの実施形態では、排出された透析液内容物の分析結果及び／又は測定値は、注入される透析液内容物の少なくとも１つのパラメータの記憶値と比較される。代替的に、排出された透析液内容物の分析結果及び／又は測定値は、例えば、体の症状の進行を判定するために、以前に排出された透析液の記憶された分析結果及び／又は測定値と比較される。
【０２４３】
いくつかの例示的な実施形態によれば、７１１で、被検者の生理的状態が判定される。いくつかの実施形態では、分析結果に基づいて被検者の生理的状態が判定される。いくつかの実施形態では、排出された透析液内容物の分析結果及び／又は測定値が、新鮮な透析液の分析結果及び／又は測定値と比較される。いくつかの実施形態では、比較結果に基づいて被検者の生理的状態が判定される。いくつかの実施形態では、被検者の生理的状態は、記憶された指示、随意的に、異なる臨床状態に関係した指示との比較に基づいて判定される。代替的に、被検者の生理的状態は、排出された透析液の分析結果及び／又は測定値の識別された変動に基づいて判定される。いくつかの実施形態では、変動は、分析結果及び／又は測定値と以前に決定されたベースライン及び／又は透析システムのメモリに記憶された少なくとも１つの参照値又はその指示との間でのものである。加えて、生理的状態は、被検者の体質量又は体重及び／又は測定が行われた時間に基づいて判定される。
【０２４４】
いくつかの例示的な実施形態によれば、生理的状態は、腹膜炎、前腹膜炎、後腹膜炎、炎症、前炎症、糖尿病、前糖尿病、化学化合物及び／又は生物学的化合物の欠乏によって引き起こされる病理学的状態のうちの１つ又は複数を含む。
【０２４５】
腹膜炎の検出のための例示的なプロセス
いくつかの例示的な実施形態によれば、腹膜透析治療のリスクのうちの１つは、腹膜炎とも呼ばれる炎症プロセスである。いくつかの実施形態では、腹膜炎は、体外から患者のカテーテルを通って腹膜腔に侵入する細菌によって引き起こされる。腹膜炎は腹膜透析治療に影響を及ぼすので、例えば、より効率的な腹膜炎治療を可能にするべく腹膜炎をできるだけ早期に検出することを試みる及び検出することが重要である。ここで、本発明のいくつかの実施形態に係る、腹膜炎を検出する及び随意的に腹膜炎を治療するためのプロセスを示す図７Ｂへの参照を行う。
【０２４６】
いくつかの例示的な実施形態によれば、７０２で、患者の臨床パラメータが測定される。いくつかの実施形態では、臨床パラメータは、体温、及び／又は白血球カウント、又は炎症プロセスを示す任意の臨床パラメータを含む。いくつかの実施形態では、患者の臨床パラメータは、治療セッション間に、治療セッション中に、又は透析液排出プロセスの前に測定される。
【０２４７】
いくつかの例示的な実施形態によれば、７０４で、透析液が排出される。いくつかの実施形態では、例えば、濾過プロセスの進行をモニタリングするべく、滞留時間中に透析液の一部が排出される。いくつかの実施形態では、透析液の一部は、滞留時間中に少なくとも２回排出される。随意的に、透析液の一部は、滞留時間中の所定の時点で排出される。
【０２４８】
いくつかの例示的な実施形態によれば、７０６で、透析液内容物が分析される。いくつかの実施形態では、透析液内容物は、透析液を排出する間に分析される。いくつかの実施形態では、透析液内容物は、継続的に分析される、又は、透析液を排出する間に少なくとも２つの時点で分析される。いくつかの実施形態では、透析液内容物は、透析液の一部を試験チューブに又は試験チャネルに誘導することにより分析される。
【０２４９】
いくつかの例示的な実施形態によれば、７０６で、排出された透析液の化学組成及び／又は生物学的組成が分析される。いくつかの実施形態では、排出された透析液は、所定の閾値を上回る白血球の量に関して分析される。代替的に又は加えて、腹膜炎に関する指標である好中球又は任意の他の白血球の数が分析される。随意的に、排出された透析液中の炎症促進性サイトカインの存在及び／又は量が分析される。
【０２５０】
いくつかの例示的な実施形態によれば、７０８で、排出された透析液の物理的特徴、例えば、排出された透析液の濁度が分析される。いくつかの実施形態では、排出された透析液の曇り又は霞みの増加は、細菌及び腹膜炎の存在の指示である。いくつかの実施形態では、濁度レベルは、例えば、流体中に懸濁した固体により散乱される光の量を測定する濁度センサにより測定される。随意的に、７０８で、排出された透析液の光吸収、光散乱、及び／又は色が分析される。
【０２５１】
いくつかの例示的な実施形態によれば、７１０で腹膜炎が検出されない場合、７１２で、排出プロセスが終了する。いくつかの例示的な実施形態によれば、７１０で腹膜炎が検出される場合、７１４で、患者に及び／又は介護者に及び／又は医師に指示が送達される。
【０２５２】
いくつかの例示的な実施形態によれば、７１６で、排出プロセスが終了する。いくつかの実施形態では、７１８で、専門家が指示を受信する。いくつかの実施形態では、専門家は、腹膜炎を治療するための及び／又は透析治療を修正するための命令を送信する。
【０２５３】
いくつかの例示的な実施形態によれば、７２０で、透析治療が修正される。いくつかの実施形態では、腹膜炎の検出後に透析治療が終了される又は延期される。代替的に、少なくとも１つの治療パラメータが修正される。いくつかの実施形態では、腹膜腔内の透析液の滞留時間が修正される。いくつかの実施形態では、患者は、感染した排出された透析液のサンプルを、例えば、微生物培養による分析のためにクリニック又は実験室にもっていくように命令される。いくつかの実施形態では、透析治療は、腹膜炎の検出後に透析装置により自動的に終了される又は自動的に延期される。代替的に、少なくとも１つの治療パラメータが、透析装置により自動的に修正される。
【０２５４】
いくつかの例示的な実施形態によれば、７２２で、腹膜炎が治療される。いくつかの実施形態では、腹膜炎は、腹膜腔への抗生物質が入っている溶液の注入により治療される。随意的に、注入の前に、透析液溶液へ抗生物質が投入される。いくつかの実施形態では、例えば、透析液注入の前に洗浄溶液で腹膜腔を少なくとも１回フラッシングすることにより、腹膜炎が治療される。いくつかの実施形態では、腹膜炎は、透析装置により、例えば、腹膜腔を自動的にフラッシングすること及び／又は抗生物質を腹膜腔へ自動的に注入することにより、自動的に治療される。
【０２５５】
ここで、本発明のいくつかの例示的な実施形態に係る、光学パラメータ、例えば、光吸収及び／又は光散乱を測定することにより腹膜炎を検出するためのプロセスを示す図７Ｃへの参照を行う。
【０２５６】
いくつかの例示的な実施形態によれば、透析液は、７４０で、腹膜腔から排出される。いくつかの実施形態では、透析液は、透析装置のチュービングを通して排出される。
【０２５７】
いくつかの例示的な実施形態によれば、７４２で、排出された透析液を通過する光の吸収及び／又は散乱が測定される。いくつかの実施形態では、チューブ内の排出された透析液を通過する光の吸収及び／又は散乱が測定される。代替的に、排出された透析液貯蔵区画内の排出された透析液を通過する光の吸収及び／又は散乱が測定される。随意的に、排出された透析液の測定された吸収値及び／又は散乱値又は値の指示が、メモリ、例えば、メモリ２１２に記憶される。いくつかの実施形態では、光吸収及び／又は光散乱は、ＰＰＤＳ内に配置された少なくとも１つのセンサにより測定される。随意的に、少なくとも１つのセンサは、耐久ユニットの一部である。代替的に、少なくとも１つのセンサは、使い捨てユニットの一部である。いくつかの実施形態では、少なくとも１つのセンサは、５００〜６５０ｎｍの波長範囲内、例えば、５００〜６００ｎｍの範囲内、５５０〜６２０ｎｍの範囲内、５３０〜６３０ｎｍの範囲内、又は任意の中間波長範囲内、より小さい波長範囲内、又はより大きい波長範囲内の排出された透析液を通過する光の吸収及び／又は散乱を測定する。加えて又は代替的に、少なくとも１つの付加的なセンサは、１５０〜３５０ｎｍの波長範囲内、例えば、１５０〜２５０ｎｍ、２００〜３００ｎｍ、２５０〜３５０ｎｍ、又は任意の中間波長範囲内、より小さい波長範囲内、又はより大きい波長範囲内の排出された透析液を通過する光の吸収及び／又は散乱を測定する。いくつかの実施形態では、付加的なセンサは、可視光スペクトル内の光の吸収及び／又は散乱を測定するように構成される。いくつかの実施形態では、該波長範囲内の各波長に関する又は該波長範囲内の少なくとも１つの選択された波長に関する光の吸収及び／又は散乱が測定される。いくつかの実施形態では、排出された透析液の排液バッグを通過する光の吸収及び／又は散乱が測定される。
【０２５８】
いくつかの例示的な実施形態によれば、７４４で、測定値の変動が識別される。いくつかの実施形態では、識別される変動は、測定値と随意的に透析システム又は装置のメモリに記憶された所定のベースライン、少なくとも１つの参照値、又はその指示との間での変動である。
【０２５９】
いくつかの例示的な実施形態によれば、７４６で、新鮮な透析液が腹膜へ導入される。いくつかの実施形態では、新鮮な透析液は、腹膜透析システム、随意的に、ポータブル腹膜透析システム（ＰＰＤＳ）のチューブを通過する。
【０２６０】
いくつかの例示的な実施形態によれば、７５０で、光学パラメータ、例えば、新鮮な透析液を通過する光の吸収及び／又は散乱が測定される。いくつかの実施形態では、光の吸収及び／又は散乱は、ＰＰＤＳ内に配置された少なくとも１つのセンサにより測定される。随意的に、少なくとも１つのセンサは、ＰＰＤＳの耐久ユニットの一部である。代替的に、少なくとも１つのセンサは、ＰＰＤＳの使い捨てユニットの一部である。いくつかの実施形態では、少なくとも１つのセンサは、５００〜６５０ｎｍの波長範囲内、例えば、５００〜６００ｎｍの範囲内、５５０〜６２０ｎｍの範囲内、５３０〜６３０ｎｍの範囲内、又は任意の中間波長範囲内、より小さい波長範囲内、又はより大きい波長範囲内の新鮮な透析液を通過する光の吸収及び／又は散乱を測定する。加えて又は代替的に、少なくとも１つの付加的なセンサは、１５０〜３５０ｎｍの波長範囲内、例えば、１５０〜２５０ｎｍ、２００〜３００ｎｍ、２５０〜３５０ｎｍ、又は任意の中間波長範囲内、より小さい波長範囲内、又はより大きい波長範囲内の新鮮な透析液を通過する光の吸収及び／又は散乱を測定する。いくつかの実施形態では、付加的なセンサは、可視光スペクトル内の光の吸収及び／又は散乱を測定するように構成される。いくつかの実施形態では、該波長範囲内の各波長に関する又は該波長範囲内の少なくとも１つの選択された波長に関する光の吸収及び／又は散乱が測定される。いくつかの実施形態では、新鮮な透析液バッグを通過する光の吸収及び／又は散乱が測定される。
【０２６１】
いくつかの例示的な実施形態によれば、７４４で測定した吸収値及び／又は散乱値が、７５１でメモリに記憶される。代替的に又は加えて、値の指示がメモリに記憶される。いくつかの実施形態では、メモリは、ＰＰＤＳの一部である、例えば、図２に示された装置２０２のメモリ２１２である。いくつかの実施形態では、光吸収値及び／又は光散乱値は、新鮮な透析液溶液の製造業者により提供される。随意的に、値は、例えば、新鮮な透析液バッグ／ボックス上のコード又はパッケージ内のコードをスキャンすることにより、製造業者のウェブサイトからメモリにダウンロードされる。
【０２６２】
いくつかの例示的な実施形態によれば、７５２で、測定された光吸収値及び／又は光散乱値又は排出された透析液の指示と新鮮な透析液が比較される。代替的に又は加えて、排出された透析液の測定された光吸収値及び／又は光散乱値又は値の指示が、メモリに記憶された指示と及び／又はテーブルと比較される。随意的に、排出された透析液の測定値又は指示は、以前に排出された透析液の記憶値又は指示と比較される。排出された透析液の測定されたパラメータ値を新鮮な透析液の測定されたパラメータ値と比較することは、例えば、新鮮な透析液の異なるバッチに起因する変動を最小にするべく、例えば、自己校正することを可能にする。
【０２６３】
いくつかの例示的な実施形態によれば、７５４で、比較結果に基づいて少なくとも１つの差分パラメータ値が計算される。いくつかの実施形態では、差分パラメータは、新鮮な透析液の吸収値及び／又は散乱値と排出された透析液の吸収値及び／又は散乱値との偏差及び／又は平均偏差を含む。
【０２６４】
いくつかの例示的な実施形態によれば、７５６で、スコアが生成される。いくつかの実施形態では、スコアは、少なくとも１つの差分パラメータ値に基づいて生成される。代替的に又は加えて、スコアは、排出された透析液の測定された光吸収値及び／又は光散乱値に基づいて生成される。いくつかの実施形態では、スコアは、差分パラメータ値又は測定された光吸収値及び／又は光散乱値と被検者の少なくとも１つの臨床パラメータ、例えば、体温、治療レジメン、投与される薬剤、年齢、血圧、背景疾患、及び／又は白血球カウントに関係した指示との組み合わせに基づいて生成される。いくつかの実施形態では、生成されるスコアは、透析液流体の汚染レベルを示す。代替的に又は加えて、生成されるスコアは、排出された透析液中で又は選択された体積の排出された透析液中で、例えば、１ｍｌ、１０ｍｌ、１００ｍｌ、１リットルの排出された透析液中で、又は任意の中間体積、より小さい体積、又はより大きい体積の排出された透析液中で見つかる白血球の数を示す。いくつかの実施形態では、スコアは、各波長に関して又は各波長範囲に関して個別に生成される。
【０２６５】
いくつかの例示的な実施形態によれば、７５８で、指示が送達される。いくつかの実施形態では、指示、例えば、人間が検出可能な指示は、ＰＰＤＳのユーザに送達される。代替的に又は加えて、指示は、介護者又は専門家、例えば、医師に送達される。随意的に、指示は、無線信号により遠隔コンピュータ又はハンドヘルド装置に送達される。いくつかの実施形態では、指示は、７５６で生成されたスコア及び／又は７５４で計算された差分値に基づいている。いくつかの実施形態では、指示は、排出された透析液の測定された光吸収値及び／又は光散乱値に、又は値の指示に基づいている。
【０２６６】
いくつかの例示的な実施形態によれば、生成されたスコア又は計算された差分値が、随意的にメモリ２１２に記憶された所定の値よりも高い又は所定の値の範囲内にない場合に、７５８で、指示が送達される。
【０２６７】
いくつかの例示的な実施形態によれば、７６０で、治療の少なくとも１つのパラメータ値が修正される。代替的に、７６０で、治療プロトコルの少なくとも一部が修正される。いくつかの実施形態では、パラメータ値及び／又は治療プロトコルは、生成されたスコアに基づいて修正される。代替的に又は加えて、パラメータ値及び／又は治療プロトコルは、計算された差分値に基づいて修正される。いくつかの実施形態では、治療は、例えば、腹膜腔の洗浄ステップを含めることにより修正される。代替的に又は加えて、治療は、腹膜腔内の透析液の滞留時間を短くすること又は長くすることにより修正される。いくつかの実施形態では、治療は、プロセスで用いられる新鮮な透析液の組成を、例えば、抗生物質が入っている透析液に、又は抗菌薬又は抗ウィルス生物活性成分又は薬剤を含有する透析液に変えることにより修正される。
【０２６８】
いくつかの例示的な実施形態によれば、７６２で、治療が選択される。いくつかの実施形態では、治療は、生成されたスコアに基づいて又は計算された差分値に基づいて選択される。いくつかの実施形態では、抗菌薬及び／又は抗ウィルス薬治療が選択される。いくつかの実施形態では、例えば、抗生物質又は生物活性剤を投与することにより、透析治療レジメンを変えずに治療が提供される。
【０２６９】
いくつかの例示的な実施形態によれば、７６２での治療の選択に関して及び／又は７６０での治療の修正に関して、光吸収及び／又は光散乱値は、上に示したように５００〜６５０ｎｍの範囲内と１５０〜３５０ｎｍの範囲内との２つの波長範囲内で測定される。代替的に、７６２での治療の選択に関して及び／又は７６０での治療の修正に関して、光吸収及び／又は光散乱値は、５００〜６５０ｎｍと可視光スペクトル内との２つの波長範囲内で測定される。いくつかの実施形態では、２つの波長範囲内の吸収値及び／又は散乱値は、１つ、２つ、又はそれ以上のセンサにより測定される。
【０２７０】
透析を最適化するための例示的なプロセス
いくつかの例示的な実施形態によれば、排出された透析液の化学組成及び／又は生物学的組成を測定することにより、透析治療効果を判定することが可能である。いくつかの実施形態では、透析治療が有効ではない場合、少なくとも１つの治療パラメータ、例えば、注入される透析液の内容物が修正される。ここで、本発明のいくつかの実施形態に係る、透析治療を最適化するためのプロセスを示す図８への参照を行う。
【０２７１】
いくつかの例示的な実施形態によれば、７０４で、透析液が腹膜腔から排出される。いくつかの例示的な実施形態によれば、８０２で、排出された透析液内容物が測定される。いくつかの実施形態では、８０２で、排出された透析液の化学特性及び／又はミネラル特性及び／又は生物学的特性、例えば、排出された透析液のクレアチニンレベル、尿素レベル、及びイオン強度が測定される。いくつかの実施形態では、排出された透析液のイオン強度は、排出された溶液中のイオンの濃度の尺度である。いくつかの実施形態では、随意的に注入される透析液と比較した、排出された透析液中のデキストロースのレベル又は濃度は、イオン強度の指標である。
【０２７２】
いくつかの例示的な実施形態によれば、排出された透析液内容物は、腹膜透析装置、例えば、装置２０２の少なくとも１つのセンサにより測定される。いくつかの実施形態では、排出手技中に又は手技中の少なくとも２つの時点で、排出された透析液内容物が測定される。
【０２７３】
いくつかの例示的な実施形態によれば、８０４で、透析効果が判定される。いくつかの実施形態では、透析効果は、排出された透析内容物の測定結果に基づいて判定される。いくつかの実施形態では、排出された透析液中のクレアチニン及び／又は尿素のレベルが所望の閾値を下回る場合、透析治療は有効ではない。代替的に又は加えて、随意的に注入される透析液中の濃度と比較して、排出された透析液中のデキストロース濃度が所望の閾値を上回る場合、透析治療は低い効果を有する。いくつかの実施形態では、排出された透析液中のクレアチニン及び／又は尿素のレベルが所望の閾値よりも高い場合、透析治療は有効である。代替的に又は加えて、随意的に注入される透析液中の濃度と比較して、排出された透析液中のデキストロース濃度が所望の閾値よりも低い場合、透析治療は有効である。
【０２７４】
いくつかの例示的な実施形態によれば、治療効果が低い場合、８０８で、指示が送達される。いくつかの実施形態では、指示は、患者に及び／又は介護者に送達される。代替的に又は加えて、指示は、医師に送達される。
【０２７５】
いくつかの例示的な実施形態によれば、透析治療効果を高めるために、注入される透析液の組成は、例えば、注入される透析液のイオン濃度を増加させることにより修正される。随意的に、より高いデキストロース濃度の透析液を用いることによりイオン濃度が増加される。いくつかの実施形態では、連続携行式腹膜透析（ＣＡＰＤ）で治療される患者に関する一日当たりの、又は自動腹膜透析（ＡＰＤ）で治療される患者に関する一夜当たりの透析液交換回数が増加される。いくつかの実施形態では、ＣＡＰＤでの各交換における透析液体積が増加される。いくつかの実施形態では、効果を高めるために、ＣＡＰＤ治療スケジュールに夜間のさらなる透析液交換が追加される。いくつかの実施形態では、効果を高めるために、ＡＰＤ治療スケジュールに日中のさらなる透析液交換が追加される。
【０２７６】
いくつかの例示的な実施形態によれば、透析治療効果を高めるために、滞留時間が増加される。いくつかの実施形態では、滞留時間は、注入される透析液が排出されるまで腹膜腔内にとどまる時間である。いくつかの実施形態では、腹膜を通る濾過速度が低い場合、滞留時間の増加は、例えば、排出される透析液中のクレアチニン又は尿素の濃度を増加させるべく、濾過プロセスを延長することを可能にする。
【０２７７】
いくつかの例示的な実施形態によれば、治療効果が所望の効果よりも高い場合、８１４で、指示が送達される。いくつかの実施形態では、指示は、患者に及び／又は介護者に送達される。代替的に又は加えて、指示は、医師に送達される。
【０２７８】
いくつかの例示的な実施形態によれば、所望の効果に達するように、注入される透析液の組成が、例えば、注入される透析液のイオン濃度を下げることにより修正される。いくつかの実施形態では、末期腎疾患（ＥＳＲＤ）患者の体から余分な水分を除去することは、限外濾過により行われる。いくつかの実施形態では、透析液中の高いグルコース（デキストロース）濃度は、例えば、水分を血液から透析液流体へ移行させる浸透圧を生み出す。随意的に、このプロセス中に、透析液中のグルコース濃度が減少され、血液中で増加される。
【０２７９】
いくつかの例示的な実施形態によれば、透析治療の所望の効果に達するように、滞留時間が短くされる。いくつかの実施形態では、滞留時間は、注入される透析液が排出されるまで腹膜腔内にとどまる時間期間である。
【０２８０】
いくつかの例示的な実施形態によれば、透析効果が所望の範囲内である場合、例えば、クレアチニン及び／又は尿素の濃度が所望の範囲内であるときに、８０６で、患者及び／又は介護者に及び／又は医師に指示が送達される。
【０２８１】
いくつかの例示的な実施形態によれば、注入される透析液の組成及び／又は滞留時間の変化は、装置２０２のメモリに記憶される代替的な治療計画に基づいている。いくつかの実施形態では、装置は、透析治療を最適化するべく少なくとも１つの治療パラメータの及び／又は治療計画の修正を自動的に決定する。代替的に、装置は、少なくとも１つのパラメータの修正又は代替的な治療計画を患者に及び／又は介護者に提案する。
【０２８２】
いくつかの例示的な実施形態によれば、腹膜透析効果は、Ｋｔ／Ｖの関数に基づいて判定され、式中、Ｋは、尿素のダイアライザクリアランスであり、ｔは、透析時間であり、Ｖは、尿素の分布容積である。随意的に、尿素の分布容積は、患者の総体液量に等しい。いくつかの実施形態では、関数及び／又は異なる関数変数の値又は値の範囲が装置のメモリ、例えば、図２のメモリ２１２に記憶される。いくつかの実施形態では、透析効果は、随意的に、テーブル、又は関数変数の異なる閾値、又はＫｔ／Ｖ関数又は関数結果に基づく機械学習を用いて装置のコントローラにより判定される。
【０２８３】
いくつかの例示的な実施形態によれば、透析効果は、ソフトウェアプログラミング及び／又は装置プログラミング及び／又は装置回路を用いて及び／又はニューロンネットワークを用いて判定される。代替的に又は加えて、透析効果は、随意的に装置のメモリに記憶されるテーブル及び／又は関数及び／又はルールに基づいて判定される。
【０２８４】
例示的な透析治療装置作動プロセス
ここで、本発明のいくつかの実施形態に係る、腹膜透析システムの作動のためのプロセスを示す図９Ａへの参照を行う。
【０２８５】
いくつかの例示的な実施形態によれば、９１０で、ツインバッグ９０８のキャップが取り外される。いくつかの実施形態では、例えば、ツインバッグへの及びツインバッグからの流れを制御するべく、ツインバッグに手動クランプ９０２が付加される。随意的に、ツインバッグの各バッグにつき１つずつの、２つのクランプが付加される。いくつかの実施形態では、使い捨てポンプチュービング９０４が、ツインバッグに接続される。いくつかの実施形態では、ツインバッグは、装置、例えば、装置２０２又は装置１０２に接続される。いくつかの実施形態では、ツインバッグが装置に接続されるときに、例えば、ツインバッグとポンプチュービングとの間の流路を消毒するべく、消毒プロセスが開始される。
【０２８６】
いくつかの例示的な実施形態によれば、２１４で、カテーテルキャップが取り外され、９１６で、カテーテル、例えば、患者のカテーテルが装置に接続される。いくつかの実施形態では、カテーテルの接続中に、例えば、カテーテルとポンプチュービングとの間の流路を消毒するべく、消毒プロセスが開始される。いくつかの実施形態では、９１８で、ツインバッグの排液側のクランプが閉められる。いくつかの実施形態では、９２０で、消毒ユニットが停止される。いくつかの実施形態では、９２２で、カテーテルフローバルブが開かれる。いくつかの実施形態では、例えば、排出された透析液が排液バッグに入ることを可能にするべく、９２４で、排液側のクランプが開かれる。
【０２８７】
いくつかの例示的な実施形態によれば、９２６で、ポンプが作動される。いくつかの実施形態では、ポンプ、例えば、蠕動ポンプは、ロータを排液バッグに向かう方向に回転させる。いくつかの実施形態では、排出された透析液が排液バッグへ流れる場合、ポンプは作動されたままである。いくつかの実施形態では、排出された透析液が流れない場合、９３０で、ポンプが停止される。
【０２８８】
いくつかの例示的な実施形態によれば、９３２で、カテーテルのクランプが閉められる。いくつかの実施形態では、９３４で、シールが破壊される。いくつかの実施形態では、例えば、ポンプチュービングからの排出された透析液の洗浄を可能にするべく、シールが破壊される。いくつかの実施形態では、９３６で、ポンプが作動される。いくつかの実施形態では、ポンプは、ポンプチュービングを洗浄するのに所望の時間にわたって作動される。いくつかの実施形態では、所望の時間が経過するときに、９４０で、ポンプが停止される。いくつかの実施形態では、９４２で、排液側のクランプが閉められる。いくつかの実施形態では、例えば、新鮮な透析液バッグとカテーテルとの間の流路を可能にするべく、９４４で、カテーテルフローバルブが開かれる。
【０２８９】
いくつかの例示的な実施形態によれば、９４６で、ポンプが作動される。いくつかの実施形態では、ポンプは、透析液がカテーテルへ流れる限り作動されたままである。いくつかの実施形態では、透析液が流れない場合、９５０で、ポンプが停止される。いくつかの実施形態では、例えば、ポンプチュービングからカテーテルを分離するべく、９５２で、カテーテルのクランプが閉められる。いくつかの実施形態では、９５４で、透析液のクランプが閉められる。いくつかの実施形態では、例えば、カテーテルへの及びカテーテルからのどのような流れも防ぐべく、９５６で、カテーテルフローバルブが閉じられる。
【０２９０】
いくつかの例示的な実施形態によれば、９５８で、カテーテルのクランプが解除される。いくつかの実施形態では、９６０で、カテーテルが解放又は接続解除される。いくつかの実施形態では、９６２で、カテーテルの開口部上にキャップが取り付けられる。いくつかの実施形態では、９６４で、消毒ユニットが停止される。
【０２９１】
いくつかの例示的な実施形態によれば、９６６で、排液側のクランプが閉められる。いくつかの実施形態では、９６８で、ツインバッグが取り外される。いくつかの実施形態では、９７０で、排液バッグが排液される。いくつかの実施形態では、９７２で、排液バッグが廃棄される。
【０２９２】
いくつかの例示的な実施形態によれば、使い捨てポンプチュービング９０４も装置から接続解除される。いくつかの実施形態では、注入プロセスと排出プロセスとの間に新しい使い捨てポンプチュービングが装置に付加される。
【０２９３】
ここで、本発明のいくつかの実施形態に係る、腹膜透析システムの作動プロセスを示す図９Ｂへの参照を行う。
【０２９４】
いくつかの例示的な実施形態によれば、９０１で、ポータブル腹膜透析使い捨て部分（ＰＰＤＤ）がパッキングから持ち出される。いくつかの実施形態では、９０３で、ＰＰＤＤパッキングの滅菌が検査及び／又は判定される。いくつかの実施形態では、９０３で、パッキングの完全性を検査することによりパッキングの滅菌が判定される。いくつかの実施形態では、パッキングが滅菌の場合、９０５で、ＰＰＤＤがパッキングから取り出される。
【０２９５】
いくつかの例示的な実施形態によれば、９０７で、ＰＰＤＤがポータブル腹膜透析マシン（ＰＰＤＭ）へロードされる。いくつかの実施形態では、ＰＰＤＭは、装置の耐久部分であり、ＰＰＤＤは装置の使い捨て部分である。いくつかの実施形態では、９０９で、チュービングがパッキング、随意的に、使い捨てパッキングから持ち出される。いくつかの実施形態では、９１１で、チュービングが検査される。いくつかの実施形態では、９１３で、「プルリング」が滅菌パッキングから除去される。いくつかの実施形態では、チュービングがＰＰＤＤへロードされる。随意的に、チュービングは、ＰＰＤＤのポンプロータと関連して配置される。
【０２９６】
いくつかの例示的な実施形態によれば、９１５で、チュービングがＰＰＤＤへロードされる。いくつかの実施形態では、９１７で、カテーテルキャップ、例えば、患者カテーテルキャップが取り外される。いくつかの実施形態では、９１９で、カテーテルがＰＰＤＤへロードされる。随意的に、カテーテルのロード中に、カテーテルがＰＰＤＤの消毒コネクタにより消毒される。
【０２９７】
いくつかの例示的な実施形態によれば、９２１で、ＰＰＤＭの蓋が閉じられる。随意的に、蓋を閉めることでカテーテルの消毒プロセスが開始する。いくつかの実施形態では、９２３で、カテーテルフローバルブが開かれる。いくつかの実施形態では、９２５で、シール、例えば、「グリーン」シールが破壊される。随意的に、シールの破壊は、消毒溶液をカテーテルへ放出する。
【０２９８】
いくつかの例示的な実施形態によれば、９２７で、消毒タイマーが開始される。いくつかの実施形態では、９２９で、消毒タイマーが停止される。いくつかの実施形態では、消毒タイマーは、チュービングとカテーテルとの間の流路を消毒するのに十分な所望の時間を設定する。いくつかの実施形態では、９３１で、排液側のクランプが開かれる。いくつかの実施形態では、９３３で、例えば、腹膜腔から透析液を排出するべく、ポンプが作動される。いくつかの実施形態では、９３５で流体が排出される場合、ポンプは作動されたままである。いくつかの実施形態では、排出する流体が存在しない場合、９３７で、ポンプが停止される。
【０２９９】
いくつかの例示的な実施形態によれば、９３９で、カテーテルのクランプが閉められる。いくつかの実施形態では、例えば、チュービングから残留する排出された透析液を一掃するべく、９４１で、ポンプが作動される。いくつかの実施形態では、９４３で、ポンプが随意的にタイマーにより少なくとも２秒間、例えば、２、３、４、５、６、７秒間及び／又は中間の時間、又はより長い時間にわたって作動される。代替的に、ポンプは、チュービング内に残留流体が存在しなくなるまで作動される。いくつかの実施形態では、９４５で、ポンプが停止される。いくつかの実施形態では、９４７で、排液側のクランプが閉められる。
【０３００】
いくつかの例示的な実施形態によれば、カテーテルのクランプが解放される。いくつかの実施形態では、透析液のクランプが解放される。いくつかの実施形態では、例えば、カテーテルへの透析液の注入を可能にするべく、９４９で、ポンプが作動される。いくつかの実施形態では、９５１で、透析液がカテーテルへ流れる。いくつかの実施形態では、ポンプは、透析液がカテーテルへ流れる限り作動されたままである。いくつかの実施形態では、透析液がカテーテルへ流れないときに、９５３で、ポンプが停止される。随意的に、ポンプは、治療プロトコルの作動パラメータに従って停止される。いくつかの実施形態では、９５５で、カテーテルのクランプが閉められる。いくつかの実施形態では、９５７で、透析液のクランプが閉められる。いくつかの実施形態では、９５９で、カテーテルフローバルブが閉じられる。
【０３０１】
いくつかの例示的な実施形態によれば、９６１で、ＰＰＤＭの蓋が開かれる。いくつかの実施形態では、９６３で、すべてのクランプが開かれる。いくつかの実施形態では、９６５で、ＰＰＤＤからカテーテルが解放される。いくつかの実施形態では、カテーテルの開口部上にキャップが取り付けられる。
【０３０２】
いくつかの例示的な実施形態によれば、９６９で、ＰＰＤＤがＰＰＤＭから取り外される。いくつかの実施形態では、９７１で、ロータがＰＰＤＤから取り外される。いくつかの実施形態では、９７３で、排液バッグが排液される。いくつかの実施形態では、９７５で、排液バッグが廃棄される。随意的に、９７５で、ＰＰＤＤ又はチュービングだけが廃棄される。
【０３０３】
例示的な装置の対話及び機能
ここで、本発明のいくつかの実施形態に係る、腹膜透析装置の対話及び機能を示す図１０への参照を行う。
【０３０４】
いくつかの例示的な実施形態によれば、腹膜透析システム１００２は、ＰＰＤＭユニット、例えば、耐久ユニット１００４と、ＰＰＤＤ使い捨てユニット１００６とを備える。いくつかの実施形態では、耐久ユニット１００４は、ケース、電源ユニット、例えば、バッテリ、ポンプモータ、例えば、電気ポンプモータ、及びモータインターフェースを備える。いくつかの実施形態では、耐久ユニットはさらに、少なくとも１つのセンサ、通信モジュール、及び、例えば、透析治療プロセス及びモータを制御するためのコントローラを備える。
【０３０５】
いくつかの例示的な実施形態によれば、使い捨てユニット１００６は、キャリア、接続モジュール、随意的に、自動接続モジュールを備える。いくつかの実施形態では、接続モジュールはまた、消毒モジュールである。加えて、使い捨てユニット１００６は、耐久ユニット１００４のモータインターフェースにフィットするように形状設定及び寸法設定されるポンプロータを備える。いくつかの実施形態では、使い捨てユニット１００６は、少なくとも１つのセンサ、例えば、治療の臨床パラメータ及び／又は装置１００２に接続された患者の臨床パラメータを測定するための臨床センサを備える。
【０３０６】
いくつかの例示的な実施形態によれば、装置１００２は、患者の臨床パラメータ、例えば、体重１００８、血圧１０１０、及び／又は心拍数１００９を測定する。いくつかの実施形態では、装置１００２は、測定したパラメータ値及び他の情報を装置のメモリに又は遠隔メモリ１０１２に書き込む。いくつかの実施形態では、装置１００２は、遠隔メモリ１０１２から治療計画及び治療パラメータを読み出す。加えて、装置は、記憶した情報を医師１０１６に及び／又は患者１０１８に送信する。いくつかの実施形態では、医師１０１６は、情報、例えば、提案される治療プロトコル又は提案されるプロトコル修正を、遠隔メモリ１０１２に又は直接に装置１００２のメモリに送信する。
【０３０７】
例示的なシステム
本発明のいくつかの実施形態に係る、腹膜透析治療の送達のためのシステムを示す図１１への参照を行う。
【０３０８】
いくつかの例示的な実施形態によれば、ポータブル腹膜透析システム（ＰＰＤＳ）、例えば、システム１１００は、少なくとも１つのバッグ、例えば、透析液バッグ１１０３と、装置１１０２のコネクタに接続される排出された透析液のバッグ１１０４とを備える。いくつかの実施形態では、異なる患者カテーテルチューブ１１０６が、装置１１０２の異なるコネクタに接続される。
【０３０９】
本発明のいくつかの実施形態に係る、腹膜透析治療をモニタリングする及び／又は制御するためのシステムを示す図１２への参照を行う。
【０３１０】
いくつかの例示的な実施形態によれば、新しい透析液溶液の貯蔵区画１２０２が、フローブレーカ１２０８を介してコネクタ１２０５、例えば、ｙコネクタに接続される。いくつかの実施形態では、使用済み透析液の貯蔵区画が、フローブレーカ１２０６を介してコネクタ１２０５に接続される。いくつかの実施形態では、フローブレーカ２０８及び１２０５は、貯蔵区画とコネクタ１２０５との間の流路を閉鎖するのに用いられる。いくつかの実施形態では、コネクタ１２０５は、各区画への流路を自動的に消毒する。
【０３１１】
いくつかの例示的な実施形態によれば、コネクタ１２０５は、蠕動ポンプ１２１０のロータと関連付けられるポンプチュービングの遠位端に配置される。いくつかの実施形態では、少なくとも１つの圧力センサ、例えば、圧力センサ１２１２が、ポンプチュービング内の流体の圧力を感知する。いくつかの実施形態では、少なくとも１つの流量センサ、例えば、流量センサ１２１４が、ポンプチュービング内の流速及び／又は流体体積を感知する。いくつかの実施形態では、少なくとも１つの腹膜炎センサ、例えば、腹膜炎センサ１２１６が、前述のように腹膜腔内の腹膜炎の発生を感知する。いくつかの実施形態では、ポンプチュービング内の流体は、加熱ユニット１２１８を通過する。いくつかの実施形態では、加熱ユニット１２１８は、ポンプチュービング内の新鮮な透析液流体を、患者のカテーテルに注入される前に所望の温度に加熱する。
【０３１２】
いくつかの例示的な実施形態によれば、患者カテーテル１２２１は、患者の腹膜腔１２２２にコネクタ１１２０で接続する。いくつかの実施形態では、コネクタ１１２０は、ポンプチュービングの近位端に接続される。いくつかの実施形態では、コネクタ１１２０は、患者カテーテルをポンプチュービングの近位端に自動的に又は半自動的に接続する。加えて又は随意的に、コネクタ１１２０は、患者のカテーテルとポンプチュービングとの間の流路を自動的に又は半自動的に消毒する。
【０３１３】
例示的な透析液試験モジュール
ここで、本発明のいくつかの実施形態に係る、透析液試験手段を示す図１３Ａ〜図１３Ｇへの参照を行う。
【０３１４】
いくつかの例示的な実施形態によれば、ＰＰＤＤユニット、例えば、使い捨てユニット１３０１は、ポンプチュービングと、チュービング端にある少なくとも１つのコネクタ、例えば、消毒コネクタを備える。いくつかの実施形態では、ポンプチュービング１３０２は、ロータ１３０８と関連付けられ、少なくとも１つのコネクタ、例えば、チュービング１３０２の２つの端にあるコネクタ１３０４及び１３１４を備える。いくつかの実施形態では、流量調整器、例えば、クランプ、例えば、流量調整器１３０６及び１３１２が、チュービング１３０２上にコネクタの隣に配置される。いくつかの実施形態では、流量調整器が閉じられるときに、流体は、ポンプチュービングへ又はポンプチュービングから流れない。いくつかの実施形態では、流量調整器が少なくとも半開にされるときにのみ、流体がポンプチュービングに流入する及びポンプチュービングから流出することができる。いくつかの実施形態では、少なくとも１つの流量調整器は、例えば、患者のカテーテルへの及び／又は患者のカテーテルから排液バッグへの、新鮮な透析液の流れを制御することを可能にする。
【０３１５】
いくつかの例示的な実施形態によれば、少なくとも１つの試験経路、例えば、チューブ１３１０及びチューブ１３０９は、例えば、ポンプチュービング１３０２からチューブ１３１０のうちの少なくとも１つへ又はチューブ１３０９へ流体を流すべく、ポンプチュービングに流体接続される。いくつかの実施形態では、試験経路のうちのいくつかは、排出された透析液を試験するために用いられ、試験経路のうちのいくつか、例えば、チューブ１３０９は、新鮮な透析液を試験するために用いられる。いくつかの実施形態では、試験経路のうちの１つへの流れは、弁又は流量調整器により制御される。随意的に、弁又は流量調整器は、腹膜透析装置、例えば、装置２０２により自動的に又は半自動的に制御される。
【０３１６】
いくつかの例示的な実施形態によれば、例えば、図１３Ｄ及び図１３Ｅに示すように、試験経路、例えば、使い捨てユニット１３１６のチューブ１３２６及び１３２８のそれぞれは、スケール、例えば、スケール１３３０及び１３３１を備える。いくつかの実施形態では、スケール、例えば、カラースケールは、比色反応を用いて流体中の化学物質及び／又は生体要素のレベルを視覚的に推定するのに用いられる。いくつかの実施形態では、カラースケールは、透析液の色又は色の指示を含む。
【０３１７】
いくつかの例示的な実施形態によれば、例えば、図１３Ｆ及び図１３Ｇに示すように、試験経路内の流体内容物が、少なくとも１つのセンサにより分析される。いくつかの実施形態では、ＰＰＤＤユニット、例えば、装置１３３２の使い捨てユニット１３３４は、少なくとも１つの試験経路、例えば、チューブ１３３７及び１３３８を含む。いくつかの実施形態では、使い捨てユニット１３３４は、ＰＰＤＭユニット、例えば、耐久ユニット１３３６の内部に配置される。いくつかの実施形態では、耐久ユニット１３３６は、使い捨てユニット１３３４が耐久ユニット１３３６の内部に配置されるときに、センサ１３４０が近位にあり、随意的に少なくとも１つの試験経路と位置合わせされるように配置される少なくとも１つのセンサを備える。いくつかの実施形態では、センサ１３４０は、随意的に特定の波長の光の吸光度を測定する。いくつかの実施形態では、センサ１３４０は分光光度計である。いくつかの実施形態では、少なくとも１つのセンサ１３４０は、５００〜６５０ｎｍの波長範囲内、例えば、５００〜６００ｎｍの範囲内、５５０〜６２０ｎｍの範囲内、５３０〜６３０ｎｍの範囲内、又は任意の中間波長範囲内、より小さい波長範囲内、又はより大きい波長範囲内の試験経路を通過する光の吸収及び／又は散乱を測定する。加えて又は代替的に、センサ１３４０又は少なくとも１つの付加的なセンサは、１５０〜３５０ｎｍの波長範囲内、例えば、１５０〜２５０ｎｍ、２００〜３００ｎｍ、２５０〜３５０ｎｍ、又は任意の中間波長範囲内、より小さい波長範囲内、又はより大きい波長範囲内の試験経路を通過する光の吸収及び／又は散乱を測定する。
【０３１８】
いくつかの例示的な実施形態によれば、少なくとも１つのセンサ又は試験要素は、例えば、ポンプチュービングへ流れる流体の化学特性及び／又は生物学的特性を測定するべく、試験経路に接続される。
【０３１９】
ポータブル腹膜透析装置の例示的な使い捨てユニット
いくつかの例示的な実施形態によれば、ポータブル腹膜透析システム（ＰＰＤＳ）は、ポータブル腹膜透析マシン（ＰＰＤＭ）、例えば、耐久ユニットと、ポータブル腹膜透析使い捨て部分（ＰＰＤＳ）、例えば、使い捨てユニットを備える。随意的に、ＰＰＤＳは、ポータブル腹膜患者管理（ＰＰＰＭ）システムを備える。いくつかの実施形態では、耐久ユニットは、モータ、随意的に、電気モータ及び電気配線を備える。いくつかの実施形態では、使い捨てユニットは、少なくとも１つのコネクタ付きのチューブを備える。いくつかの実施形態では、使い捨てユニットは、使い捨て要素の少なくともほとんど、例えば、チューブと少なくとも１つのコネクタを耐久ユニットとは別個のハウジングに封入された状態に保つ単一のユニットとして形状設定及び寸法設定される。いくつかの実施形態では、別個のハウジングは、例えば、システムの使い捨て要素を保護しながら、使い捨てユニットと耐久ユニットとの容易な組み立てを可能にする。加えて、別個のハウジングは、ユーザによる使い捨て要素のさらなる組み立ての必要なしにすぐに使用できる製品として使い捨てユニットを販売することを可能にする。
【０３２０】
ここで、本発明のいくつかの例示的な実施形態に係る、別個のハウジングを備えるＰＰＤＳの使い捨てユニットを示す図１３Ｈ〜図１３Ｍへの参照を行う。
【０３２１】
いくつかの例示的な実施形態によれば、ＰＰＤＳ装置の使い捨てユニット、例えば、使い捨てユニット１３５０は、チューブ１３５６と、少なくとも１つのコネクタ、例えば、チューブ１３５６の２つの端に存在するＹセットコネクタ１３５８及びカテーテルコネクタ１３６０を備える。随意的に、コネクタのうちの少なくとも１つは、例えば、外部コネクタに接続されるときに殺菌材料が２つのコネクタ間の境界面と相互作用する自己殺菌コネクタである。加えて、使い捨てユニット１３５０は、ロータの翼の遠位端に位置する少なくとも１つの円筒形接触部材、例えば、円筒形接触部材１３６３を有するロータ１３６２を備える。いくつかの実施形態では、少なくとも１つの円筒形接触部材、随意的に、転動可能な円筒形接触部材が、チューブ１３５６の少なくとも一部と直接接触する。いくつかの実施形態では、使い捨て要素は、使い捨てユニットのハウジング、例えば、２部品ハウジングの内面に作製された、形状設定された溝又は凹部内に配置される。いくつかの実施形態では、溝又は凹部は、２部品ハウジングの少なくとも１つの部品の内面に、例えば、ベース部１３５２に作製される。いくつかの実施形態では、２部品ハウジングは、ベース部１３５２と適合するように形状設定及び寸法設定された相補的なカバー部１３５４を備える。いくつかの実施形態では、カバー部１３５４は、ベース部１３５２内の使い捨て要素の三次元形状又は外形の少なくとも一部と適合する溝又は凹部を備える。
【０３２２】
いくつかの例示的な実施形態によれば、例えば、図１３Ｉに示すように、ベース部１３５２とカバー部が使い捨てユニット１３５０のハウジング１３５２へ組み立てられる。いくつかの実施形態では、ハウジング１３５２の軸方向の長さ１３６６は、少なくとも１０ｃｍ、例えば、１２ｃｍ、１５ｃｍ、１９ｃｍ、２０ｃｍ、２５ｃｍ、又は任意の中間値、より小さい値、又はより大きい値である。いくつかの実施形態では、ハウジング１３５１の幅１３６４は、少なくとも１ｃｍ、例えば、１．５ｃｍ、２ｃｍ、２．５ｃｍ、又は任意の中間値、より小さい値、又はより大きい値である。
【０３２３】
いくつかの例示的な実施形態によれば、ハウジングは、耐久ユニットへ容易に組み立てる及び／又は外部チューブを使い捨てユニットの少なくとも１つのコネクタへ容易に組み立てることができるように形状設定される。いくつかの実施形態では、例えば、図１３Ｊに示すように、カバー部１３５４の外面は、例えば、不適切な位置合わせに起因する組み立て間違いを低減するべく、使い捨てユニットのコネクタへの外部チューブの組み立て方向及び／又は耐久ユニットへの使い捨てユニットの組み立て方向を示すための少なくとも１つのマークを備える。いくつかの実施形態では、少なくとも１つのマーク１３５３は、例えば、カバー部を示す。いくつかの実施形態では、カバー部１３５４は、ロータの上の開口部、例えば、開口部１３５５を備える。いくつかの実施形態では、開口部１３５５は、例えば、ロータの回転方向を見ることができるようにする。
【０３２４】
いくつかの例示的な実施形態によれば、例えば、図１３Ｋに示すように、ベース部１３５２は、耐久ユニットのモータシャフトを通すことができるように形状設定及び寸法設定された開口部１３６８を備える。いくつかの実施形態では、モータシャフトは、開口部１３６８を通り、ロータ、随意的に、使い捨てユニットのハウジング内の使い捨てロータに接続される。
【０３２５】
いくつかの例示的な実施形態によれば、例えば、図１３Ｌに示すように、ハウジングのカバー部１３５４は、少なくとも２つの接続部材１３７２及び１３７４、例えば、少なくとも２つのねじ付き留め具又はねじを介してハウジングのベース部１３５２に機械的に接続される。いくつかの実施形態では、ねじ付き留め具は、ねじ及び／又はボルトを含む。いくつかの実施形態では、２つの接続部材は、ピンを含む。いくつかの実施形態では、少なくとも２つの接続部材のそれぞれは、カバー部の開口部、例えば、開口部１３６５を通して、ベース部の開口部、例えば、ベース部開口部１３７６へ貫入する。随意的に、ベース部開口部は、接続部材上の雄ねじと相補的な雌ねじを備える。
【０３２６】
いくつかの例示的な実施形態によれば、例えば、図１３Ｌに示すように、ロータ１３６２の翼のそれぞれ、例えば、翼１３６１は、ロータ翼の開口部及び円筒形接触部材１３６３の開口部を通るように形状設定及び寸法設定されたピン、ねじ、又はボルトにより、円筒形接触部材、例えば、円筒形接触部材１３６３に接続される。
【０３２７】
いくつかの例示的な実施形態によれば、例えば、図１３Ｍに示すように、組み立てられた使い捨てユニット１３５０は、ハウジングに、少なくとも２つの開口部である開口部１３５１及び１３５２を有する。いくつかの実施形態では、１つの開口部１３５３はカテーテルをカテーテルコネクタ１３６０に接続し、随意的に第２の開口部１３５１はＹセットコネクタ１３５８を接続するように形状設定及び寸法設定される。いくつかの実施形態では、ハウジングの外面上の少なくとも１つのマークは、例えば、耐久ユニットへの使い捨てユニットの組み立て方向及び／又は向きを示す。
【０３２８】
使い捨てユニットと耐久ユニットの例示的な組み立て
ここで、本発明のいくつかの例示的な実施形態に係る、耐久ユニットへの使い捨てユニットの組み立てを示す図１３Ｎ〜図１３Ｐへの参照を行う。
【０３２９】
いくつかの例示的な実施形態によれば、耐久ユニット、例えば、耐久ユニット１３８０は、随意的に内側アライナー、例えば、随意的にドア１３８２の内面に取り付けられる位置合わせスロット１３８４付きのドア１３８２を備える。いくつかの実施形態では、ドア１３８２の少なくとも一部は、例えば、使い捨てユニット、又は耐久ユニットの内部に配置される使い捨てユニットのロータの視覚化を可能にするべく透明である。いくつかの実施形態では、使い捨てユニット、例えば、使い捨てユニット１３５０は、例えば、図１３Ｎに示すように位置合わせスロット１３８４へ挿入されるように形状設定及び寸法設定される。いくつかの実施形態では、使い捨てユニット１３５０は、使い捨てユニット１３５０のハウジング上の少なくとも１つのマーク、例えば、図１３Ｊに示されたマーク１３５３により示される方向及び／又は向きに位置合わせスロットへ挿入される。
【０３３０】
いくつかの例示的な実施形態によれば、位置合わせスロット１３８４への使い捨てユニット１３５０の挿入後に、ドア１３８２が閉められる。いくつかの実施形態では、外部コネクタは、ドア１３８２を閉める前に又は位置合わせスロット１３８４への使い捨てユニット１３５０の挿入前に、開口部１３５１を通してＹセットコネクタ１３５８に接続される。
【０３３１】
いくつかの例示的な実施形態によれば、例えば、図１３Ｏに示すように、ドア１３８２が閉められるときに、耐久ユニット１３８０のドロワ、例えば、ドロワ１３８６が耐久ユニットのハウジングから引き出される。随意的に、ドロワ１３８６は、ドア１３８２が閉じられるときに自動的に引き出される。いくつかの実施形態では、ドロワ１３８６は、カテーテル端１３９０を配置するための、上方開口部及び側方開口部１３８５、随意的に、Ｕ形側方開口部を備える。
【０３３２】
いくつかの例示的な実施形態によれば、ドロワ１３８６が閉められるときに、カテーテル端１３９０がカテーテルコネクタ１３６０へ押し込まれる。いくつかの実施形態では、カテーテルがカテーテルコネクタ１３６０を通じて接続されるときに、随意的に透析装置１３８１により自動的に、消毒プロセスが開始される。
【０３３３】
いくつかの例示的な実施形態によれば、透析装置１３８１は、使い捨てユニットのチュービングを通して消毒材料を移動させ、透析液をシステムに接続されたカテーテルを通じて患者の腹膜の内外へ移動させるべく、モータ、例えば電気モータを作動する。いくつかの実施形態では、透析装置は、少なくとも１つのバッテリ、随意的に、再充電可能なバッテリを備える。いくつかの実施形態では、例えば、図１３Ｐに示すように、透析装置１３８１は、例えば、バッテリの充電を可能にするべく、再充電可能なバッテリに外部電源を接続するための充電プラグ１３９２を備える。代替的に、透析装置への外部電源の接続は、バッテリの代わりに又は加えて外部電源を用いて装置を作動することを可能にする。
【０３３４】
いくつかの例示的な実施形態によれば、透析装置１３８１のハウジングは、例えば、ベルト又はハーネスを透析装置に接続するための少なくとも１つのアダプタを備える。いくつかの実施形態では、ベルト又はハーネスは、透析装置を患者の身体部分に、例えば、患者の手、脚、肩、腿、及び／又は腰に固定するのに用いられる。
【０３３５】
いくつかの例示的な実施形態によれば、透析装置、例えば、透析装置１３８１、図１に示された透析装置１０２、又は図２に示された透析装置２０２は、ポータブルであり、ベルト、ハーネス、又は任意のアダプタにより患者の身体部分に固定されるように構成される。いくつかの実施形態では、透析装置は、モータ、例えば、電気モータと、バッテリ、随意的に、ロータに電気的に接続される再充電可能なバッテリとを含む耐久ユニットを備える。いくつかの実施形態では、耐久ユニットは、モータに及びバッテリに電気的に接続される制御回路を備える。いくつかの実施形態では、制御ユニットは、バッテリの電力レベルに従ってモータの作動を制御する。いくつかの実施形態では、耐久ユニットは、少なくとも１つの人間が検出可能な指示、例えば、光指示及び／又は音指示による警告信号を提供するように構成された、制御回路に接続されるインターフェースを備える。いくつかの実施形態では、バッテリの電力レベルが所定の値よりも低いときに、制御回路が、警告信号、例えば、バッテリを充電すること又はバッテリを交換することを示す信号を生成するべくインターフェースに信号を発する。代替的に又は加えて、バッテリの電力レベルが所定の値よりも低いときに、制御回路はモータの動作を止める。
【０３３６】
いくつかの実施形態によれば、制御回路は、例えば、バッテリの電力レベルが所定の値よりも低いときにモータを省電力モードで作動する。いくつかの実施形態では、制御回路は、随意的にモータを省電力モードで作動するときに、モータの少なくとも１つの作動パラメータ、例えば、回転速度及び／又は回転持続時間を修正する。いくつかの実施形態では、制御回路は、バッテリの電力レベルが所定の値よりも低いときにモータの作動を防ぐ。
【０３３７】
いくつかの実施形態によれば、バッテリが十分に充電されるときのバッテリの電力レベルは、少なくとも１つの透析治療セッション、例えば、２つの治療セッション、３つの治療セッション、４つの治療セッション、又は任意のより小さい数、中間数、又はより大きい数の治療セッションのために十分なものである。いくつかの実施形態では、治療セッションは、腹膜腔から透析液を少なくとも部分的に排出すること及び腹膜腔に新鮮な透析液を少なくとも部分的に注入することを含む。代替的に、治療セッションは、腹膜腔から透析液を少なくとも部分的に排出すること、腹膜腔に新鮮な透析液を少なくとも部分的に注入すること、及び腹膜腔内の透析液の滞留時間を含む。
【０３３８】
随意的に、透析装置は、ヒータ、例えば、透析液ヒータを含まない。いくつかの実施形態では、透析装置は、例えば、バッテリ電力を節約するために及び／又は透析システムの総重量を減らすためにヒータを含まない。
【０３３９】
いくつかの実施形態によれば、透析装置の重量は、５００ｇｒ〜５ｋｇ（５０００ｇｒ）の範囲内、例えば、１ｋｇ、１．５ｋｇ、２ｋｇ、２．５ｋｇ、又は任意の中間重量、より小さい重量、又はより大きい重量である。随意的に、透析システムの重量は４０００ｇｒを下回る。いくつかの実施形態では、装置の長さは、１００ｍｍ〜４５０ｍｍの範囲内、例えば、１００ｍｍ、１５０ｍｍ、１７０ｍｍ、２００ｍｍ、又は任意の中間値、より小さい値、又はより大きい値である。いくつかの実施形態では、装置の幅は、８０ｍｍ〜３００ｍｍの範囲内、例えば、１００ｍｍ、１３０ｍｍ、１５０ｍｍ、又は任意の中間値、より小さい値、又はより大きい値である。
【０３４０】
いくつかの実施形態によれば、透析装置は、システムを患者の少なくとも１つの身体部分に、例えば、腰、脚、肩、又は腿に固定するように構成された少なくとも１つの接続部材、例えば、ハーネス、ベルト、又はアダプタを備える。
【０３４１】
取り外し可能なモジュールを有する例示的な腹膜透析システム
ここで、本発明のいくつかの実施形態に係る、腹膜透析サイクラーベースを示す図１４Ａ及び図１４Ｂへの参照を行う。
【０３４２】
いくつかの例示的な実施形態によれば、腹膜透析サイクラーベース、例えば、サイクラーベース１４０２は、制御ユニット１４０７付きのベースと、例えば、少なくとも１つのバッグ、例えば、バッグ１４０６及び１４０４をサイクラーベース１４０２に流体接続することを可能にするチュービングコネクタ１４０３とを備える。いくつかの実施形態では、バッグのそれぞれは、例えば、サイクラーベースからのバッグの取り外しを防ぐフック又はアンカー機構によりサイクラーベース１４０２に接続される。いくつかの実施形態では、サイクラーベース１４０２は、温度モニタリング及び／又は制御モジュール、例えば、バッグ内の流体温度をモニタリングするための及び／又は必要な場合に流体を加熱するためのモジュール１４０９を備える。
【０３４３】
いくつかの例示的な実施形態によれば、サイクラーベース１４０２は、制御ユニット１４０７により自動的に又は半自動的に制御される。いくつかの実施形態では、サイクラーベースは、バッグの中の流体又はチュービングを通って流れる流体の温度を制御する。
【０３４４】
ここで、本発明のいくつかの実施形態に係る、取り外し可能な、随意的にポータブルの腹膜透析装置を示す図１４Ｃ及び図１４Ｄへの参照を行う。
【０３４５】
いくつかの例示的な実施形態によれば、取り外し可能な透析装置１４０８は、注入チューブ１４１２のための及び排出チューブ１４１４のための少なくとも２つのコネクタと、透析装置１４０８をサイクラーベース１４０２のチュービングコネクタ１４０３と流体接続するための少なくとも１つのコネクタを備える。いくつかの実施形態では、治療セッション、例えば、注入又は排出セッションが終わるときに、患者は、取り外し可能な装置１４０８とサイクラーベース１４０２を流体接続するチューブ１４１６を接続解除する。いくつかの実施形態では、取り外し可能な装置１４０８は、無線接続、例えば、Ｗｉ−Ｆｉ、Ｂｌｕｅｔｏｏｔｈ（登録商標）、又は赤外線接続によりサイクラーベース１４０２に接続される。代替的に、取り外し可能な装置１４０８は、通信プラグによりサイクラーベース１４０２に接続される。
【０３４６】
いくつかの例示的な実施形態によれば、取り外し可能な装置１４０８は、サイクラー装置１４０２の制御ユニット１４０７から、サイクラー装置に接続されたバッグの数及び／又はそれらの内容物に関する情報を受信する。いくつかの実施形態では、取り外し可能な装置１４０８は、決定された治療プロトコルに基づいて又は決定された治療パラメータに従って、サイクラーベース１４０２に接続されたバッグから、透析液注入のための特定のバッグを選択する。いくつかの実施形態では、透析液を排出するときに、取り外し可能な装置１４０８が、排出する流体の流れをサイクラーベースに接続された選択されたバッグへ誘導するべくサイクラーベース１４０２に信号を発する。
【０３４７】
本出願から生じる特許権の存続期間中に、腹膜透析治療をモニタリングする及び制御するための多くの関連する装置が開発されることが予想され、腹膜透析装置という用語の範囲は、すべてのこのような新しい技術を先験的に含むことを意図している。
【０３４８】
量又は値に関連して本明細書で用いられる場合の「約」という用語は、「〜の±１０％以内」を意味する。
【０３４９】
「備える」、「含む」、「有する」という用語、及びそれらの活用は、「〜を含むがそれらに限定されない」を意味する。
【０３５０】
「からなる」という用語は、「〜を含み且つそれらに限定される」を意味する。
【０３５１】
「本質的に〜からなる」という用語は、付加的な成分、ステップ、及び／又は部分が特許請求される組成、方法、又は構造の基本的な新規な特徴を実質的に変えない場合にのみ、組成、方法、又は構造が、付加的な成分、ステップ、及び／又は部分を含み得ることを意味する。
【０３５２】
本明細書で用いられる場合の単数形（「ａ」、「ａｎ」及び「ｔｈｅ」）は、文脈上他の意味に明白に規定される場合を除き、複数形の言及を含む。例えば、「化合物」又は「少なくとも１つの化合物」という用語は、それらの混合物を含む複数の化合物を含み得る。
【０３５３】
本出願の全体を通して、本発明の実施形態は、範囲形式を参照して提示される場合がある。範囲形式での説明は、単に便宜及び簡潔さのためであって、本発明の範囲を確固として限定すると解釈されるべきではないことを理解されたい。したがって、範囲の説明は、具体的に開示されたすべての可能な部分範囲、並びに、該範囲内の個々の数値を有すると考えられるべきである。例えば、「１〜６」などの範囲の説明は、「１〜３」、「１〜４」、「１〜５」、「２〜４」、「２〜６」、「３〜６」などの具体的に開示された部分範囲、並びに、該範囲内の個々の数値、例えば、１、２、３、４、５、及び６を有すると考えられるべきである。これは範囲の広さに関係なく当てはまる。
【０３５４】
本明細書で数値範囲（例えば、「１０〜１５」、「１０から１５」、又はこれらの別のこのような範囲指示により結び付けられる数字の任意のペア）が示されるときにはいつでも、文脈上他の意味に明白に規定される場合を除き、範囲限界を含む示された範囲限界内の任意の数字（小数又は整数）を含むように意図されている。第１の指示数字と第２の指示数字との「範囲／範囲にわたる／との間の範囲」及び第１の指示数字から第２の指示数字「まで（「ｔｏ」、「ｕｐ  ｔｏ」、「ｕｎｔｉｌ」、又は「ｔｈｒｏｕｇｈ」」の「範囲／範囲にわたる／までの範囲」という文言（又は別のこのような範囲を示す用語）は、本明細書で交換可能に用いられ、第１の及び第２の指示数字とそれらの間のすべての小数及び整数の数字を含むように意図されている。
【０３５５】
他に指定のない限り、本明細書で用いられる数字及びそれに基づく任意の数字範囲は、当業者に理解されるように妥当な測定及び丸め誤差の精度内での概算である。
【０３５６】
本明細書で用いられる場合の「方法」という用語は、化学分野、薬理学分野、生物学分野、生化学分野、及び医療分野の医師に公知であるか又は公知の様態、手段、技術、及び手順から容易に開発される様態、手段、技術、及び手順を含むがこれらに限定されない所与のタスクを達成するための様態、手段、技術、及び手順を指す。
【０３５７】
本明細書で用いられる場合の「治療すること」という用語は、症状の進行を止めること、実質的に抑制すること、遅らせること、又は逆行させること、症状の臨床的又は審美的状態を実質的に寛解させること、又は症状の臨床的又は審美的状態の発現を実質的に防ぐことを含む。
【０３５８】
明確にするために別個の実施形態との関連で説明される本発明の特定の特徴はまた、単一の実施形態に組み合わせて提供され得ることが分かる。逆に、簡潔さのために単一の実施形態との関連で説明される本発明の種々の特徴はまた、別々に又は任意の適切な部分的組み合わせで又は本発明の任意の他の説明した実施形態において適切なように提供され得る。種々の実施形態との関連で説明される特定の特徴は、実施形態がそれらの要素なしでは効力がないというわけではない限り、それらの実施形態の本質的な特徴と考えられるべきではない。
【図１】
2020518302.tif 000003
【図２】
2020518302.tif 000004
【図３】
2020518302.tif 000005
【図４】
2020518302.tif 000006
【図５】
2020518302.tif 000007
【図６】
2020518302.tif 000008
【図７Ａ】
2020518302.tif 000009
【図７Ｂ】
2020518302.tif 000010
【図７Ｃ】
2020518302.tif 000011
【図８】
2020518302.tif 000012
【図９Ａ】
2020518302.tif 000013
【図９Ｂ】
2020518302.tif 000014
【図１０】
2020518302.tif 000015
【図１１】
2020518302.tif 000016
【図１２】
2020518302.tif 000017
【図１３Ａ】
2020518302.tif 000018
【図１３Ｂ】
2020518302.tif 000019
【図１３Ｃ】
2020518302.tif 000020
【図１３Ｄ】
2020518302.tif 000021
【図１３Ｅ】
2020518302.tif 000022
【図１３Ｆ】
2020518302.tif 000023
【図１３Ｇ】
2020518302.tif 000024
【図１３Ｈ】
2020518302.tif 000025
【図１３Ｉ】
2020518302.tif 000026
【図１３Ｊ】
2020518302.tif 000027
【図１３Ｋ】
2020518302.tif 000028
【図１３Ｌ】
2020518302.tif 000029
【図１３Ｍ】
2020518302.tif 000030
【図１３Ｎ】
2020518302.tif 000031
【図１３Ｏ】
2020518302.tif 000032
【図１３Ｐ】
2020518302.tif 000033
【図１４Ａ】
2020518302.tif 000034
【図１４Ｂ】
2020518302.tif 000035
【図１４Ｃ】
2020518302.tif 000036
【図１４Ｄ】
2020518302.tif 000037
【手続補正書】
【提出日】令和1年11月11日(2019.11.11)
【手続補正１】
【補正対象書類名】特許請求の範囲
【補正対象項目名】全文
【補正方法】変更
【補正の内容】
【特許請求の範囲】
【請求項１】
腹膜透析治療をモニタリング及び／又は修正するための装置であって、
少なくとも１つの治療プロトコルを記憶するメモリと、
前記メモリに接続された制御回路と、
を備え、前記制御回路が、前記治療の結果が前記治療プロトコルの所望の結果ではない場合にレポートを生成する及び／又は前記治療を修正する、
装置。
【請求項２】
カテーテルへ流体を流すように形状設定及び寸法設定されたチュービングをさらに備え、前記制御回路が、前記流体の前記流れに基づいて及び／又は前記チュービング内の前記流体内容物に基づいて前記治療を修正する、請求項１に記載の装置。
【請求項３】
前記チュービングに関連してポンプロータを備え、前記ポンプロータが、前記流体を動かすように構成され、前記制御回路が、前記ポンプロータの回転を修正することにより前記治療を修正する、請求項２に記載の装置。
【請求項４】
前記チュービングに流体接続される少なくとも１つの試験経路を備え、前記試験経路が、前記チュービングから前記試験経路へ少なくとも一部の流体を流すように形状設定及び寸法設定される、請求項２に記載の装置。
【請求項５】
前記チュービング内の流体を通過する光の特性を測定するために前記制御回路に接続される少なくとも１つの光センサを備える、請求項２に記載の装置。
【請求項６】
少なくとも１つの患者臨床パラメータを感知するために前記制御回路に接続される少なくとも１つの臨床センサをさらに備え、前記治療の前記結果が、前記患者臨床パラメータにより示される臨床結果である、請求項１〜請求項５のいずれかに記載の装置。
【請求項７】
前記患者臨床パラメータが所望の値の範囲内にない場合に、前記制御回路が、前記治療を修正し、又は少なくとも１つの治療パラメータを修正し、又は前記メモリに記憶された異なる治療プロトコルを選択し、前記少なくとも１つの修正される治療パラメータが、注入される透析液の滞留時間、治療持続時間、及び／又は組成を含む、請求項６に記載の装置。
【請求項８】
前記チュービング内の透析液流体の化学組成を測定するために前記制御回路に接続される少なくとも１つの臨床センサを備える、請求項２に記載の装置。
【請求項９】
排出された透析液のパラメータ値及び新鮮な透析液のパラメータ値を測定するための少なくとも１つのセンサをさらに備え、前記制御回路が、前記装置の自己校正を可能にするべく、測定された前記排出された透析液の値と前記新鮮な透析液の値とを比較する、請求項１に記載の装置。
【請求項１０】
患者及び／又は介護者に指示を送達するためのインターフェースをさらに備え、前記腹膜炎が検出される場合に、前記制御回路が、警告指示を生成するべく前記インターフェースに信号を発する、請求項９に記載の装置。
【請求項１１】
前記少なくとも1つの光センサが、選択された波長に基づく前記排出された透析液の濁度レベルを測定する、請求項５に記載の装置。
【請求項１２】
前記少なくとも１つのセンサが、１つ又は複数の波長の前記排出された透析液の少なくとも１つの光学パラメータを測定するように構成された光学センサであり、前記制御回路が、前記光学パラメータに基づいて腹膜炎を検出するように構成される、請求項９に記載の装置。
【請求項１３】
前記少なくとも１つのセンサが、５００〜６５０ｎｍの範囲内及び／又は１５０〜３５０ｎｍの範囲内の１つ又は複数の波長の前記排出された透析液を通過する光の吸収及び／又は散乱を測定するように構成される、請求項９に記載の装置。
【請求項１４】
前記少なくとも１つのセンサが、５００〜６５０ｎｍの波長範囲内の前記排出された透析液を通過する光の吸収及び／又は散乱を測定するように構成された第１のセンサと、可視光波長の前記排出された透析液を通過する光の吸収及び／又は散乱を測定するように構成された第２のセンサを含む、請求項９に記載の装置。
【請求項１５】
腹膜透析システムであって、
電気モータと、前記電気モータに電気的に接続され、前記電気モータに電力を提供するように構成されたバッテリとを備える、耐久ユニットと、
前記モータに接続可能なロータと、前記ロータと少なくとも部分的に接触しているチュービングとを備える、前記耐久ユニットに取り付けられるように構成された、取り外し可能なユニットと、
を備える、システム。
【請求項１６】
前記システムが透析液ヒータを備えない、請求項１５に記載のシステム。
【請求項１７】
排出された透析液で生理的状態を検出するための方法であって、
腹膜透析装置の少なくとも１つのセンサ又は手動インジケータにより、前記排出された透析液の前記内容物に関係した少なくとも１つのパラメータを測定することと、
前記少なくとも１つのパラメータに基づいて生理的状態を検出することと、
前記検出することに基づいて前記生理学的状態に関する治療を示すことと、
を含む、方法。
【請求項１８】
腹膜透析装置の取り外し可能なユニットであって、
前記取り外し可能なユニットを入れる取り外し可能なハウジングと、
前記ハウジング内のポンプロータと部分的に関連付けられるように形状設定及び寸法設定された２つの開口部を有するチュービングと、
少なくとも２つのコネクタと、
を備え、前記２つのコネクタのそれぞれが、前記チュービングに前記２つの開口部のうちの１つで接続され、前記２つのコネクタが、前記ハウジングの同じ側部に固定される、
ユニット。
【請求項１９】
前記２つのコネクタのうちの少なくとも１つが消毒コネクタであり、前記チュービングが、前記消毒コネクタの近位に消毒流体を備える、請求項１８に記載のユニット。
【請求項２０】
前記消毒コネクタが、外部コネクタにより破られるように形状設定及び寸法設定された少なくとも１つのホイルを備える、請求項１９に記載のユニット。
【請求項２１】
前記コネクタの付近で前記チュービングを取り囲む少なくとも２つの流量調整器を備え、前記流量調整器が、前記チュービングと前記コネクタとの間で流体を流すように形状設定及び寸法設定される、請求項１８〜請求項２０のいずれかに記載のユニット。
【請求項２２】
前記自己校正が、新鮮な透析液の異なるバッチに起因する変動を最小にするのに用いられる、請求項９に記載のデバイス。
【請求項２３】
前記腹膜炎を検出することが遠隔サーバ上で行われる、請求項１２に記載のデバイス。
【請求項２４】
前記臨床変動を判定するための少なくとも１つのセンサにより測定された値の変動を識別するための少なくとも１つのセンサをさらに備える、請求項１〜請求項１４のいずれかに記載のデバイス。
【請求項２５】
前記識別される変動が、前記測定値と所定のベースライン、少なくとも１つの参照値、又はその指示との間での変動である、請求項２４に記載のデバイス。
【請求項２６】
前記治療中に計画された腹膜透析治療の識別された変動を補償することを含む、請求項２４又は請求項２５に記載のデバイス。
【請求項２７】
前記自己校正が、新鮮な透析液の異なるバッチに起因する変動を最小にするのに用いられる、請求項１５に記載のシステム。
【請求項２８】
前記システムの重量が４０００ｇｒを下回る、請求項１５に記載のシステム。
【請求項２９】
制御ユニット付きのベースを備え、少なくとも１つのバッグをサイクラーベースに流体接続することを可能にするチュービングコネクタをさらに備える、サイクラーベース。
【請求項３０】
前記少なくとも１つのバッグ内の流体温度を制御するための、及び／又は必要な場合に前記少なくとも１つのバッグ内の流体を加熱するための、及び／又は腹膜透析システムのチュービングを通って流れる流体の温度を制御するための、温度モニタリング及び／又は制御モジュールをさらに備える、請求項２９に記載のサイクラーベース。
【請求項３１】
透析装置を前記サイクラーベースの前記チュービングコネクタと流体接続するための少なくとも１つのコネクタをさらに備える、請求項２９〜請求項３０のいずれかに記載のサイクラーベース。
【請求項３２】
前記サイクラーベースから取り外し可能な腹膜透析装置が、決定された治療プロトコルに基づいて又は決定された治療パラメータに従って、前記サイクラーベースに接続された複数のバッグから、透析液注入のための特定のバッグを選択する、請求項２９〜請求項３１のいずれかに記載のサイクラーベース。
【国際調査報告】
2020518302.tif 000038
2020518302.tif 000039
2020518302.tif 000040
2020518302.tif 000041
2020518302.tif 000042
2020518302.tif 000043